(57)【特許請求の範囲】
【請求項１】
モバイルワイヤレスデバイスと第１のワイヤレスネットワークとの間の無線リソースを管理する方法であって、
前記モバイルワイヤレスデバイスが、
当該モバイルワイヤレスデバイスが確立した無線リソース制御接続を通じて前記第１のワイヤレスネットワークに関連付けられており、かつ、同時に第２のワイヤレスネットワークに登録されている時に、
前記確立した無線リソース制御接続を維持したまま、前記第１のワイヤレスネットワークへ無線リソース一時停止トリガを送信するステップと、
前記第１のワイヤレスネットワークへ前記無線リソース一時停止トリガを送信した後に、ページング期間中に前記第２のワイヤレスネットワークからのページングメッセージを待ち受けるように前記モバイルワイヤレスデバイスの中の１以上の受信器をチューニングするステップと、
前記第２のワイヤレスネットワークから前記モバイルワイヤレスデバイスへ宛てられたページングを含んだページングメッセージを受信すると、前記第２のワイヤレスネットワークとの接続を確立するステップと、
前記第２のワイヤレスネットワークからページングメッセージを受信しない場合と、前記モバイルワイヤレスデバイスへ宛てられたページングを含まないページングメッセージを受信した場合には、前記モバイルワイヤレスデバイスの中の前記１以上の受信器を前記第１のワイヤレスネットワークへとチューニングし直し、続いて、前記確立した無線リソース制御接続を通じて前記第１のワイヤレスネットワークへシグナリングメッセージを送信するステップと、
を備えることを特徴とする方法。
【請求項２】
前記第１のワイヤレスネットワークは、前記無線リソース一時停止トリガを受信した後に、前記モバイルワイヤレスデバイスに対する送信及び受信の無線リソース割り当ての全てを一時停止し、前記モバイルワイヤレスデバイスとの前記確立した無線リソース制御接続を維持したまま、前記モバイルワイヤレスデバイスから後で送信される前記シグナリングメッセージを受信するまで継続する
ことを特徴とする請求項１に記載の方法。
【請求項３】
前記無線リソース一時停止トリガは、前記モバイルワイヤレスデバイスから前記第１のワイヤレスネットワークへ定期的に送信されるシグナリングメッセージの値に関する予め定義された組み合わせである
ことを特徴とする請求項１に記載の方法。
【請求項４】
前記無線リソース一時停止トリガは、チャネル品質指標、プリコーディングマトリクス指標、及びランク指標の値に関する予め定義された組み合わせを含むシグナリングメッセージである
ことを特徴とする請求項１に記載の方法。
【請求項５】
前記第１のワイヤレスネットワークは、第三世代パートナーシッププロジェクト（３ＧＰＰ）ロングタームエボリューション（ＬＴＥ）、又はそれ以降の世代のワイヤレス通信プロトコルに従って動作し、前記第２のワイヤレスネットワークは、第三世代パートナーシッププロジェクト２（３ＧＰＰ２）ＣＤＭＡ２０００  １ｘワイヤレス通信プロトコルに従って動作する
ことを特徴とする請求項１に記載の方法。
【請求項６】
モバイルワイヤレスデバイスと第１のワイヤレスネットワークとの間の無線リソースを管理する方法であって、
前記第１のワイヤレスネットワークの中の無線アクセスサブシステムが、
前記モバイルワイヤレスデバイスが確立した無線リソース制御接続を通じて前記第１のワイヤレスネットワークに関連付けられており、かつ、同時に第２のワイヤレスネットワークに登録されている時に、
前記モバイルワイヤレスデバイスから無線リソース一時停止トリガを受信するステップと、
前記無線リソース一時停止トリガを受信した後に、前記確立した無線リソース制御接続を維持し、前記第２のワイヤレスネットワークの少なくとも１つのページング周期の間に、前記モバイルワイヤレスデバイスに対する送信及び受信の無線リソース割り当ての全てを一時停止するステップと、
前記確立した無線リソース制御接続を通じて前記モバイルワイヤレスデバイスから後続のシグナリングメッセージを受信した後に、前記モバイルワイヤレスデバイスに対する送信及び受信の無線リソース割り当てを再開するステップと、
を備えることを特徴とする方法。
【請求項７】
前記無線リソース一時停止トリガは、前記モバイルワイヤレスデバイスから前記第１のワイヤレスネットワークへ定期的に送信されるシグナリングメッセージの値に関する予め定義された組み合わせである
ことを特徴とする請求項６に記載の方法。
【請求項８】
前記無線リソース一時停止トリガは、チャネル品質指標、プリコーディングマトリクス指標、及びランク指標の値に関する予め定義された組み合わせを含むシグナリングメッセージである
ことを特徴とする請求項６に記載の方法。
【請求項９】
前記第１のワイヤレスネットワークは、第三世代パートナーシッププロジェクト（３ＧＰＰ）ロングタームエボリューション（ＬＴＥ）、又はそれ以降の世代のワイヤレス通信プロトコルに従って動作し、前記第２のワイヤレスネットワークは、第三世代パートナーシッププロジェクト２（３ＧＰＰ２）ＣＤＭＡ２０００  １ｘワイヤレス通信プロトコルに従って動作する
ことを特徴とする請求項８に記載の方法。
【請求項１０】
モバイルワイヤレスデバイスと第１のワイヤレスネットワークとの間の無線リソースを管理する方法であって、
前記第１のワイヤレスネットワークの中の無線アクセスサブシステムが、
前記モバイルワイヤレスデバイスが確立した無線リソース制御接続を通じて前記第１のワイヤレスネットワークに関連付けられており、かつ、第２のワイヤレスネットワークに登録されている時に、
前記モバイルワイヤレスデバイスがシングルチップデュアルスタンバイのモバイルワイヤレスデバイスであることを検出するステップと、
前記第２のワイヤレスネットワークにおける前記モバイルワイヤレスデバイスのページング周期を算出するステップと、
前記第２のワイヤレスネットワークにおける前記モバイルワイヤレスデバイスの少なくとも１つのページング周期の間に、前記確立した無線リソース制御接続を維持し、前記モバイルワイヤレスデバイスに対する送信及び受信の無線リソース割り当ての全てを一時停止するステップと、
前記確立した無線リソース制御接続を通じて前記モバイルワイヤレスデバイスから後続のシグナリングメッセージを受信した後に、前記モバイルワイヤレスデバイスに対する送信及び受信の無線リソース割り当てを再開するステップと、
を備えることを特徴とする方法。
【請求項１１】
前記第１のワイヤレスネットワークの中の前記無線アクセスサブシステムが、ローカル時刻基準を用いて、前記第２のワイヤレスネットワークにおける前記モバイルワイヤレスデバイスの前記ページング周期を算出するステップを更に備え、前記第１のワイヤレスネットワーク及び前記第２のワイヤレスネットワークは、共通の時刻基準に同期している
ことを特徴とする請求項１０に記載の方法。
【請求項１２】
前記無線アクセスサブシステムは、前記モバイルワイヤレスデバイスの固有の国際移動装置ＩＤ（ＩＭＥＩ）に基づいて、前記モバイルワイヤレスデバイスがシングルチップデュアルスタンバイのモバイルワイヤレスデバイスであることを検出する
ことを特徴とする請求項１０に記載の方法。
【請求項１３】
モバイルワイヤレスデバイスと第１のワイヤレスネットワークとの間の無線リソースを管理する方法であって、
前記モバイルワイヤレスデバイスが、
当該モバイルワイヤレスデバイスが確立した無線リソース制御接続を通じて前記第１のワイヤレスネットワークに関連付けられており、かつ、同時に第２のワイヤレスネットワークに登録されている時に、
ページング期間中に前記第２のワイヤレスネットワークから前記モバイルワイヤレスデバイスへ宛てられるページングを待ち受けるように、前記モバイルワイヤレスデバイスの中の１以上の受信器をチューニングするステップと、
前記第２のワイヤレスネットワークから前記モバイルワイヤレスデバイスへ宛てられる前記ページングを受信しなかった場合、後続のページング期間まで、前記モバイルワイヤレスデバイスの中の前記１以上の受信器を前記第１のワイヤレスネットワークへとチューニングするステップと、
前記第２のワイヤレスネットワークから前記モバイルワイヤレスデバイスへ宛てられる前記ページングを受信した場合、前記無線リソース制御接続を解放することを要求するシグナリングメッセージを前記第１のワイヤレスネットワークへ送信し、続いて、前記第２のワイヤレスネットワークとの接続を確立するステップと、
を備えることを特徴とする方法。
【請求項１４】
前記モバイルワイヤレスデバイスが、前記第２のワイヤレスネットワークから前記モバイルワイヤレスデバイスへ宛てられる前記ページングを受信した後に、前記無線リソース制御接続を解放することを要求する前記シグナリングメッセージを前記第１のワイヤレスネットワークへ送信する前に、前記１以上の受信器を前記第１のワイヤレスネットワークへとチューニングし、その後、前記１以上の受信器を前記第２のワイヤレスネットワークへとチューニングし、前記第２のワイヤレスネットワークから前記モバイルワイヤレスデバイスへ宛てられる前記受信したページングに対する応答を送信するステップ
を更に備えることを特徴とする請求項１３に記載の方法。
【請求項１５】
前記モバイルワイヤレスデバイスが、前記第２のワイヤレスネットワークから前記モバイルワイヤレスデバイスへ宛てられる前記ページングを受信した後に、前記受信したページングに対する応答を前記第２のワイヤレスネットワークへ送信し、その後、前記１以上の受信器を前記第１のワイヤレスネットワークへとチューニングし、前記無線リソース制御接続を解放することを要求する前記シグナリングメッセージを前記第１のワイヤレスネットワークへ送信するステップ
を更に備えることを特徴とする請求項１３に記載の方法。
【請求項１６】
前記モバイルワイヤレスデバイスが、前記第２のワイヤレスネットワークから前記モバイルワイヤレスデバイスへ宛てられる前記ページングを受信した後に、前記受信したページングに対する応答を前記第２のワイヤレスネットワークへ送信し、前記第２のワイヤレスネットワークから後続のシグナリングメッセージを受信した後に、前記１以上の受信器を前記第１のワイヤレスネットワークへとチューニングし、前記無線リソース制御接続を解放することを要求する前記シグナリングメッセージを前記第１のワイヤレスネットワークへ送信するステップ
を更に備えることを特徴とする請求項１３に記載の方法。
【請求項１７】
前記第１のワイヤレスネットワークは、第三世代パートナーシッププロジェクト（３ＧＰＰ）ロングタームエボリューション（ＬＴＥ）、又はそれ以降の世代のワイヤレス通信プロトコルに従って動作し、前記第２のワイヤレスネットワークは、第三世代パートナーシッププロジェクト２（３ＧＰＰ２）ＣＤＭＡ２０００  １ｘワイヤレス通信プロトコルに従って動作する
ことを特徴とする請求項１３に記載の方法。
【請求項１８】
前記第２のワイヤレスネットワークからの前記後続のシグナリングメッセージは、ページング応答メッセージ又は拡張チャネル割当てメッセージである
ことを特徴とする請求項１６に記載の方法。
【請求項１９】
モバイルワイヤレスデバイスであって、
前記モバイルワイヤレスデバイスと１以上のワイヤレスネットワークとの間の接続を確立及び解放することを制御するように構成されたアプリケーションプロセッサと、
第１のワイヤレス通信プロトコルに従って第１のワイヤレスネットワークへ信号を送信し、第２のワイヤレス通信プロトコルに従って第２のワイヤレスネットワークへ信号を送信するように構成された送信器と、
前記第１及び第２のワイヤレスネットワークから信号を受信するように構成された１以上の受信器と、
を備え、
前記アプリケーションプロセッサは、更に、
前記送信器が前記第１のワイヤレスネットワークへ無線リソース一時停止トリガを送信し、ページング期間中に前記モバイルワイヤレスデバイスへ宛てられるページングを待ち受けるために少なくとも１つの受信器が第２のワイヤレスネットワークへとチューニングする際に、確立した無線リソース制御接続を維持し、
前記ページング期間中に前記第２のワイヤレスネットワークから前記モバイルワイヤレスデバイスへ宛てられた前記ページングを受信した場合に、前記第２のワイヤレスネットワークとの接続を確立し、
前記ページング期間中に前記第２のワイヤレスネットワークから前記モバイルワイヤレスデバイスへ宛てられた前記ページングを受信しなかった場合に、前記少なくとも１つの受信器が前記第１のワイヤレスネットワークへとチューニングし直した後に、前記確立した無線リソース制御接続を通じて前記第１のワイヤレスネットワークへシグナリングメッセージを送信する
ように構成され、
前記第１のワイヤレスネットワークは、第三世代パートナーシッププロジェクト（３ＧＰＰ）ロングタームエボリューション（ＬＴＥ）、又はそれ以降の世代のワイヤレス通信プロトコルに従って動作し、前記第２のワイヤレスネットワークは、第三世代パートナーシッププロジェクト２（３ＧＰＰ２）ＣＤＭＡ２０００  １ｘワイヤレス通信プロトコルに従って動作する
ことを特徴とするモバイルワイヤレスデバイス。
【請求項２０】
前記無線リソース一時停止トリガは、チャネル品質指標、プリコーディングマトリクス指標、及びランク指標の値に関する予め定義された組み合わせを含むシグナリングメッセージである
ことを特徴とする請求項１９に記載のモバイルワイヤレスデバイス。
【発明の詳細な説明】
【技術分野】
【０００１】
説明される実施形態は、一般に、モバイルワイヤレスデバイスと１つ以上のワイヤレスネットワークとの間の無線リソースおよび接続を管理するための方法および装置に関する。詳細には、本実施形態は、複数のワイヤレス通信技術をサポートするモバイルワイヤレスデバイスと１つ以上のワイヤレスネットワークとの間の無線リソース管理について説明する。
【背景技術】
【０００２】
ワイヤレスネットワークは、新しい通信技術が発達して標準化されるにつれて、進化を続けている。ワイヤレスネットワークのオペレータ各社は、新しい通信技術を、前の世代の通信技術と並行して展開することがあり、そして、ワイヤレスネットワークは、複数の世代のモバイルワイヤレスデバイス全体に円滑な移行を提供するため、複数の通信技術を同時にサポートすることがある。代表的なワイヤレスネットワークには、第三世代パートナーシッププロジェクト（３ＧＰＰ）ロングタームエボリューション（ＬＴＥ）ワイヤレス通信プロトコルと、第三世代パートナーシッププロジェクト２（３ＧＰＰ２）ＣＤＭＡ２０００  １ｘ（１ｘＲＴＴまたは１ｘとも呼ばれる）ワイヤレス通信プロトコルとの同時サポートが含まれうる。この代表的な「同時」ワイヤレスネットワークは、ＣＤＭＡ２０００  １ｘワイヤレス通信プロトコルを用いる第１のワイヤレスネットワークを経由する回線交換音声接続と、ＬＴＥワイヤレス通信プロトコルを用いる第２のワイヤレスネットワークを経由するパケット交換接続（音声またはデータ）とをサポートすることができる。３ＧＰＰワイヤレス通信標準化機構は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）標準と、Ｇｅｎｅｒａｌ  Ｐａｃｋｅｔ  Ｒａｄｉｏ  Ｓｅｒｖｉｃｅ（ＧＰＲＳ）標準と、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）標準と、Ｌｏｎｇ  Ｔｅｒｍ  Ｅｖｏｌｕｔｉｏｎ（ＬＴＥ）標準と、ＬＴＥ  Ａｄｖａｎｃｅｄ標準とについてのリリースを含む移動通信標準を策定している。３ＧＰＰ２ワイヤレス通信標準化機構は、ＣＤＭＡ２０００  １ｘＲＴＴ標準と、１ｘＥＶ−ＤＯ標準とを含む移動通信標準を策定している。本明細書では代表的なデバイスとしてＣＤＭＡ２０００  １ｘとＬＴＥとの両方をサポートするデュアルネットワークのモバイルワイヤレスデバイスについて説明しているが、同じ教示内容は、デュアル（または、より一般的にはマルチプル）ワイヤレス通信技術ネットワークにおいて動作することのできる他のモバイルワイヤレスデバイスにも適用することができる。
【０００３】
デュアルチップのモバイルワイヤレスデバイスには、例えばＣＤＭＡ２０００  １ｘワイヤレスネットワーク用の１つの信号処理チップと、ＬＴＥワイヤレスネットワーク用のもう１つの信号処理チップというように、各々が別のワイヤレス通信プロトコルをサポートできる別個の信号処理チップが含まれてもよい。特に、デュアルチップのモバイルワイヤレスデバイスの場合、各信号処理チップは、自分自身の受信信号処理チェーンを含むことがあり、場合によっては各信号処理チップが複数の受信アンテナと、付随する信号処理ブロックとを含むことがある。デュアルチップのモバイルワイヤレスデバイス内の各信号処理チップが別個の受信アンテナを利用可能である場合、デュアルチップのモバイルワイヤレスデバイスは、例えばＣＤＭＡ２０００  １ｘワイヤレスネットワークから、および、ＬＴＥワイヤレスネットワークからというように、別個に２つのワイヤレスネットワークからページングを受信する可能性がある。たとえデュアルチップのワイヤレスデバイスが、１つの信号処理チップを通して１つのワイヤレスネットワークに、例えばＬＴＥワイヤレスネットワークに接続され、アクティブにデータを転送している場合であっても、デュアルチップのモバイルワイヤレスデバイスはまた、他方の並行する信号処理チップを通して第２のワイヤレスネットワークから、例えばＣＤＭＡ２０００  １ｘワイヤレスネットワークからのページングメッセージを待ち受けて受信することができる。このように、デュアルチップのモバイルワイヤレスデバイスは、パケット交換ＬＴＥワイヤレスネットワークにアクティブに接続している（かまたは同時に滞在している）間に、ＣＤＭＡ２０００  １ｘワイヤレスネットワークを通して、デバイス発またはデバイス着の回線交換音声接続を確立することができる。しかし、デュアルチップのモバイルワイヤレスデバイスは、電力消費が増え、より大きな物理的形状が必要となり、そして、より統合的な「シングルチップ」のモバイルワイヤレスデバイスより追加のコンポーネントが増える（そしてコストも増える）可能性がある。
【０００４】
シングルチップのモバイルワイヤレスデバイスは、少なくとも一部の構成においては、別のワイヤレス通信プロトコルをサポートできる信号処理チップを含みうるが、１つのワイヤレスネットワークにアクティブに接続したまま、別個のワイヤレスネットワークから同時に通信を受信することができないこともある。シングルチップのモバイルワイヤレスデバイスは、例えばＣＤＭＡ２０００  １ｘへの接続やＬＴＥワイヤレスネットワークへの接続のような、複数のワイヤレス通信技術をサポートできるが、所与の時間では１つのワイヤレスネットワークに接続できるだけである。シングルチップのモバイルワイヤレスデバイスは、一時には、１つのワイヤレス通信技術タイプを用いる信号を受信することに限られることがあり、特に、受信ダイバーシチを用いて単一の通信技術用の信号を受信するために複数のアンテナが用いられる場合にそうである。代表的な一実施形態では、シングルチップのモバイルワイヤレスデバイスは、ＬＴＥワイヤレスネットワークの進化型Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）Ｔｅｒｒｅｓｔｒｉａｌ  Ｒａｄｉｏ  Ａｃｃｅｓｓ  Ｎｅｔｗｏｒｋ（ｅＵＴＲＡＮ）に接続または滞在することができるか、あるいは、ＣＤＭＡ２０００  １ｘの無線アクセスネットワーク（ＲＡＮ）に接続または滞在することができるが、両方のワイヤレスネットワークに同時にそうすることはできない。シングルチップのモバイルワイヤレスデバイスは、ＬＴＥワイヤレスネットワークとＣＤＭＡ２０００  １ｘワイヤレスネットワークとの両方に登録されることができ、従って、各ワイヤレスネットワークと単一の接続を行うことができるが、同時にはできない。ＬＴＥワイヤレスネットワークが回線交換フォールバック（ＣＳＦＢ）モードまたはＬＴＥ接続上の音声をサポートしない場合、シングルチップのモバイルワイヤレスデバイスは、ＬＴＥワイヤレスネットワークのｅＵＴＲＡＮに接続または滞在している場合にはＣＤＭＡ２０００  １ｘワイヤレスネットワークからのページングを受信できないことがある。従って、シングルチップのモバイルワイヤレスデバイスが、並行するＬＴＥワイヤレスネットワークのｅＵＴＲＡＮに接続または滞在する場合にＣＤＭＡ２０００  １ｘを通して回線交換音声接続を完了する能力を保持できるようにするため、シングルチップのモバイルワイヤレスデバイスがデュアルチップのモバイルワイヤレスデバイスと同様の機能性を達成することができるような方法が必要である。
【０００５】
本願は、シングルチップのモバイルワイヤレスデバイスが、無線ネットワークリソースを最適化し、かつ無線ネットワークシグナリング要件を最小化しながら、ＬＴＥワイヤレスネットワークとＣＤＭＡ２０００  １ｘワイヤレスネットワークとの両方への接続をサポートするマルチプルネットワーク環境において動作できるような方法を説明する。
【発明の概要】
【０００６】
概して、説明される実施形態は、モバイルワイヤレスデバイスと１つ以上のワイヤレスネットワークとの間の無線リソースおよび接続を管理することに関する。詳細には、マルチプルネットワーク環境で動作できるシングルチップのモバイルワイヤレスデバイスの無線ネットワークシグナリング要件を最小化しながら無線ネットワークリソースの使用を管理する方法と装置とコンピュータ可読媒体とを説明する。
【０００７】
一実施形態では、モバイルワイヤレスデバイスと第１のワイヤレスネットワークとの間の無線リソースを管理する方法が記述される。前記方法は、前記モバイルワイヤレスデバイスが確立した無線リソース制御接続を通じて前記第１のワイヤレスネットワークに関連付けられており、かつ、同時に第２のワイヤレスネットワークに登録されている時に、前記モバイルワイヤレスデバイスによって実行される少なくとも下記のステップを含む。前記モバイルワイヤレスデバイスは、前記確立した無線リソース制御接続を維持したまま、前記第１のワイヤレスネットワークへ無線リソース一時停止トリガを送信する。前記無線リソース一時停止トリガを送信した後に、前記モバイルワイヤレスデバイスは、ページング期間中に前記第２のワイヤレスネットワークからのページングメッセージを待ち受けるように前記モバイルワイヤレスデバイスの中の１以上の受信器をチューニングする。前記第２のワイヤレスネットワークから前記モバイルワイヤレスデバイスへ宛てられたページングを含んだページングメッセージを受信すると、前記モバイルワイヤレスデバイスは、前記第２のワイヤレスネットワークとの接続を確立する。ページングメッセージを受信しない場合と、前記第２のワイヤレスネットワークから前記モバイルワイヤレスデバイスへ宛てられたページングを含まないページングメッセージを受信した場合には、前記モバイルワイヤレスデバイスは、前記モバイルワイヤレスデバイスの中の前記１以上の受信器を前記第１のワイヤレスネットワークへとチューニングし直し、続いて、前記確立した無線リソース制御接続を通じて前記第１のワイヤレスネットワークへシグナリングメッセージを送信する。代表的な実施形態において、前記第１のワイヤレスネットワークは、前記無線リソース一時停止トリガを受信した後に、前記モバイルワイヤレスデバイスに対する送信及び受信の無線リソース割り当ての全てを一時停止し、前記モバイルワイヤレスデバイスとの前記確立した無線リソース制御接続を維持したまま、前記モバイルワイヤレスデバイスから後で送信される前記シグナリングメッセージを受信するまで前記一時停止を継続する。
【０００８】
他の実施形態では、モバイルワイヤレスデバイスと第１のワイヤレスネットワークとの間の無線リソースを管理する方法が記述される。前記方法は、前記モバイルワイヤレスデバイスが確立した無線リソース制御接続を通じて前記第１のワイヤレスネットワークに関連付けられており、かつ、同時に第２のワイヤレスネットワークに登録されている時に、前記第１のワイヤレスネットワークの中の無線アクセスサブシステムによって実行される少なくとも下記のステップを含む。前記無線アクセスサブシステムは、前記モバイルワイヤレスデバイスから無線リソース一時停止トリガを受信する。前記無線リソース一時停止トリガを受信した後に、前記無線アクセスサブシステムは、前記確立した無線リソース制御接続を維持し、前記第２のワイヤレスネットワークの少なくとも１つのページング周期の間に、前記モバイルワイヤレスデバイスに対する送信及び受信の無線リソース割り当ての全てを一時停止する。前記確立した無線リソース制御接続を通じて前記モバイルワイヤレスデバイスから後続のシグナリングメッセージを受信した後に、前記無線アクセスサブシステムは、前記モバイルワイヤレスデバイスに対する送信及び受信の無線リソース割り当てを再開する。代表的な実施形態において、前記無線リソース一時停止トリガは、チャネル品質指標、プリコーディングマトリクス指標、及びランク指標の値に関する予め定義された組み合わせを含むシグナリングメッセージである。
【０００９】
他の実施形態では、モバイルワイヤレスデバイスと第１のワイヤレスネットワークとの間の無線リソースを管理する方法が記述される。前記方法は、前記モバイルワイヤレスデバイスが確立した無線リソース制御接続を通じて前記第１のワイヤレスネットワークに関連付けられており、かつ、同時に第２のワイヤレスネットワークに登録されている時に、前記第１のワイヤレスネットワークの中の無線アクセスサブシステムによって実行される少なくとも下記のステップを含む。前記無線アクセスサブシステムは、前記モバイルワイヤレスデバイスがシングルチップデュアルスタンバイのモバイルワイヤレスデバイスであることを検出する。前記無線アクセスサブシステムは、前記第２のワイヤレスネットワークにおける前記モバイルワイヤレスデバイスのページング周期を算出する。前記第２のワイヤレスネットワークにおける前記モバイルワイヤレスデバイスの少なくとも１つのページング周期の間に、前記無線アクセスサブシステムは、前記確立した無線リソース制御接続を維持し、前記モバイルワイヤレスデバイスに対する送信及び受信の無線リソース割り当ての全てを一時停止する。前記確立した無線リソース制御接続を通じて前記モバイルワイヤレスデバイスから後続のシグナリングメッセージを受信した後に、前記無線アクセスサブシステムは、前記モバイルワイヤレスデバイスに対する送信及び受信の無線リソース割り当てを再開する。代表的な実施形態において、前記無線アクセスサブシステムは、ローカル時刻基準を用いて、前記第２のワイヤレスネットワークの前記ページング周期を算出する。ここで、前記第１及び第２のワイヤレスネットワークは、共通の時刻基準に同期している。代表的な実施形態において、前記無線アクセスサブシステムは、前記モバイルワイヤレスデバイスの固有の国際移動装置ＩＤ（ＩＭＥＩ）により、前記モバイルワイヤレスデバイスがシングルチップデュアルスタンバイのデバイスであることを検出する。
【００１０】
更なる実施形態では、モバイルワイヤレスデバイスと第１のワイヤレスネットワークとの間の無線リソースを管理する方法が記述される。前記方法は、前記モバイルワイヤレスデバイスが確立した無線リソース制御接続を通じて前記第１のワイヤレスネットワークに関連付けられており、かつ、同時に第２のワイヤレスネットワークに登録されている時に、前記モバイルワイヤレスデバイスによって実行される少なくとも下記のステップを含む。前記モバイルワイヤレスデバイスは、ページング期間中に前記第２のワイヤレスネットワークから前記モバイルワイヤレスデバイスへ宛てられるページングを待ち受けるように、前記モバイルワイヤレスデバイスの中の１以上の受信器をチューニングする。前記第２のワイヤレスネットワークから前記モバイルワイヤレスデバイスへ宛てられる前記ページングを受信しなかった場合、前記モバイルワイヤレスデバイスは、後続のページング期間まで、前記モバイルワイヤレスデバイスの中の前記１以上の受信器を前記第１のワイヤレスネットワークへとチューニングする。前記第２のワイヤレスネットワークから前記モバイルワイヤレスデバイスへ宛てられる前記ページングを受信した場合、前記モバイルワイヤレスデバイスは、前記無線リソース制御接続を解放することを要求するシグナリングメッセージを前記第１のワイヤレスネットワークへ送信し、続いて、前記モバイルワイヤレスデバイスは、前記第２のワイヤレスネットワークとの接続を確立する。
【００１１】
更に別の実施形態では、モバイルワイヤレスデバイスが記述される。前記モバイルワイヤレスデバイスは、少なくとも、アプリケーションプロセッサと、送信器と、１以上の受信器とを備える。前記アプリケーションプロセッサは、前記モバイルワイヤレスデバイスと１以上のワイヤレスネットワークとの間の接続を確立及び解放することを制御するように構成される。前記送信器は、第１のワイヤレス通信プロトコルに従って第１のワイヤレスネットワークへ信号を送信し、第２のワイヤレス通信プロトコルに従って第２のワイヤレスネットワークへ信号を送信するように構成される。前記１以上の受信器は、前記第１及び第２のワイヤレスネットワークから信号を受信するように構成される。前記アプリケーションプロセッサは、更に、前記送信器が前記第１のワイヤレスネットワークへ無線リソース一時停止トリガを送信し、ページング期間中に前記モバイルワイヤレスデバイスへ宛てられるページングを待ち受けるために少なくとも１つの受信器が第２のワイヤレスネットワークへとチューニングする際に、確立した無線リソース制御接続を維持するように構成される。前記アプリケーションプロセッサはまた、前記ページング期間中に前記第２のワイヤレスネットワークから前記モバイルワイヤレスデバイスへ宛てられた前記ページングを受信した場合に、前記第２のワイヤレスネットワークとの接続を確立するように構成される。前記アプリケーションプロセッサは、加えて、前記ページング期間中に前記第２のワイヤレスネットワークから前記ページングを受信しなかった場合に、少なくとも１つの受信器が前記第１のワイヤレスネットワークへとチューニングし直した後に、前記確立した無線リソース制御接続を通じて前記第１のワイヤレスネットワークへシグナリングメッセージを送信するように構成される。代表的な実施形態において、前記無線リソース一時停止トリガは、チャネル品質指標、プリコーディングマトリクス指標、及びランク指標の値に関する予め定義された組み合わせを含むシグナリングメッセージである。
【００１２】
更に別の実施形態では、モバイルワイヤレスデバイスと第１のワイヤレスネットワークとの間の無線リソースを管理するための、非一時的なコンピュータ可読媒体の中にコンピュータプログラムコードとしてエンコードされたコンピュータプログラム製品が記述される。前記コンピュータプログラム製品は、少なくとも下記のコンピュータプログラムコードを含む。ページング期間中に第２のワイヤレスネットワークから前記モバイルワイヤレスデバイスへ宛てられるページングを待ち受ける際に、前記第１のワイヤレスネットワークとの確立した無線リソース制御接続を維持するコンピュータプログラムコード。前記ページング期間中に前記第２のワイヤレスネットワークから前記モバイルワイヤレスデバイスへ宛てられる前記ページングを待ち受けるように、前記モバイルワイヤレスデバイスの中の１以上の受信器をチューニングするコンピュータプログラムコード。前記ページング期間中に前記第２のワイヤレスネットワークから前記モバイルワイヤレスデバイスへ宛てられた前記ページングを受信しなかった場合、後続のページング期間まで、前記モバイルワイヤレスデバイスの中の前記１以上の受信器を前記第１のワイヤレスネットワークへとチューニングするコンピュータプログラムコード。前記第２のワイヤレスネットワークから前記モバイルワイヤレスデバイスへ宛てられた前記ページングを受信した後、前記第２のワイヤレスネットワークとの接続を確立する前に、前記無線リソース制御接続の解放を要求するシグナリングメッセージを前記第１のワイヤレスネットワークへ送信するコンピュータプログラムコード。
【図面の簡単な説明】
【００１３】
説明される実施形態とそれらの利点とは、添付の図面と共に下記の記述を参照することによって最も良く理解されるであろう。
【００１４】
【図１】一般的なワイヤレス通信ネットワークの構成要素を示す図である。
【００１５】
【図２】ＣＤＭＡ２０００  １ｘ（ＲＴＴまたはＥＶ−ＤＯ）ワイヤレス通信ネットワークの構成要素を示す図である。
【００１６】
【図３】ＬＴＥ（またはＬＴＥ−Ａｄｖａｎｃｅｄ）ワイヤレス通信ネットワークの構成要素を示す図である。
【００１７】
【図４】図２のＣＤＭＡ２０００  １ｘ（ＲＴＴまたはＥＶ−ＤＯ）ワイヤレス通信ネットワークと図３のＬＴＥ（またはＬＴＥ−Ａｄｖａｎｃｅｄ）ワイヤレス通信ネットワークとに対して並行して通信するモバイルワイヤレスデバイスを示す図である。
【００１８】
【図５】先行技術のデュアル信号処理チップのモバイルワイヤレスデバイスの要素（エレメント）を示す図である。
【００１９】
【図６】代表的なシングル信号処理チップのモバイルワイヤレスデバイスの要素（エレメント）を示す図である。
【００２０】
【図７】モバイルワイヤレスデバイスの１つ以上のアンテナを用いた複数の送信モードを示す図である。
【００２１】
【図８】モバイルワイヤレスデバイスとＬＴＥ（またはＬＴＥ−Ａｄｖａｎｃｅｄ）ワイヤレスネットワークとの間の代表的なプロトコルスタックを示す図である。
【００２２】
【図９】モバイルワイヤレスデバイスとＬＴＥ（またはＬＴＥ−Ａｄｖａｎｃｅｄ）ワイヤレスネットワークとの間の先行技術による拡張サービス要求交換を示す図である。
【００２３】
【図１０】モバイルワイヤレスデバイスとワイヤレスネットワークとの間の無線リソースを管理するための代表的な方法を示す図である。
【図１１】モバイルワイヤレスデバイスとワイヤレスネットワークとの間の無線リソースを管理するための代表的な方法を示す図である。
【図１２】モバイルワイヤレスデバイスとワイヤレスネットワークとの間の無線リソースを管理するための代表的な方法を示す図である。
【図１３】モバイルワイヤレスデバイスとワイヤレスネットワークとの間の無線リソースを管理するための代表的な方法を示す図である。
【００２４】
【図１４】モバイルワイヤレスデバイスとワイヤレスネットワークとの間の無線リソースを管理するための代表的な方法により拡張サービス要求メッセージを使用する選択肢を示す図である。
【発明を実施するための形態】
【００２５】
ワイヤレスネットワークは、進行中の標準化の取り組みに基づく新しいワイヤレス通信技術に対応してネットワークオペレータ各社が装備を展開するにつれて、進化を続けている。新しいワイヤレスネットワーク技術が、以前のワイヤレスネットワーク技術と並行してより広い地理的範囲のカバレージを実現しうる高度な能力を提供するため、モバイルワイヤレスデバイスは、例えば、ＧＳＭとＵＭＴＳ、ＵＭＴＳとＬＴＥ、ＣＤＭＡ２０００  １ｘとＬＴＥというように、２つ以上の異なるワイヤレス通信技術に基づくワイヤレスデバイスと通信する能力を提供することができる。異なるワイヤレス通信技術は、ワイヤレス信号を送受信するため、異なるハードウェアおよびソフトウェア処理を必要とすることがあり、モバイルワイヤレスデバイスは、異なるワイヤレス通信技術に従ってワイヤレス信号を符号化および復号するため、複数の別個の信号処理チップを備えていることがある。デュアルチップのモバイルワイヤレスデバイスの場合、例えば、ＣＤＭＡ２０００  １ｘワイヤレスネットワーク用の１つのチップと、ＬＴＥワイヤレスネットワーク用の第２のチップとを備えていることがある。並行するアナログハードウェアが十分にあれば、デュアルチップのモバイルワイヤレスデバイスは、１つまたは両方のワイヤレスネットワークと、並行して通信することができる。しかし、デュアルチップのモバイルワイヤレスデバイスは、シングルチップのモバイルワイヤレスデバイスと比べて複雑で、大型で、コストが高く、電力消費が多くなる可能性がある。一部の実施形態では、シングルチップのモバイルワイヤレスデバイスは、一時に、複数のワイヤレスネットワークのうちの１つのワイヤレスネットワークと通信することができるが、他方の並行するワイヤレスネットワークについては（あるとしても）限定的な同時接続能力を提供することがある。
【００２６】
理解されるべきだが、本明細書で説明されるものと同じ方法および装置の実装が、異なるタイプのワイヤレスネットワークで、特に、２つ以上の異なる世代または異なるタイプのワイヤレス通信プロトコルを用いて接続を提供する１つ以上のワイヤレスネットワークで、動作するモバイルワイヤレスデバイスにも適用されうる。例えば、同じ教示内容を、ＧＳＭネットワークとＵＭＴＳネットワーク、ＬＴＥネットワークとＵＭＴＳネットワーク、ＬＴＥネットワークとＣＤＭＡ２０００  １ｘネットワークとの組み合わせ、あるいは、その他のマルチプル無線アクセス技術（マルチＲＡＴ）のワイヤレスネットワークの「組み合わせ」に適用することができる。本明細書で説明する特定の例および実装は、話を簡単にするためにＣＤＭＡ２０００  １ｘワイヤレスネットワークとＬＴＥワイヤレスネットワークに関して提示されているが、ワイヤレスアクセス通信プロトコルのその他の組み合わせを用いるその他のワイヤレスネットワーク環境にも等しく適用することができる。
【００２７】
本明細書で説明される実施形態では、シングルチップのモバイルワイヤレスデバイスは、ＬＴＥワイヤレスネットワークまたはＣＤＭＡ２０００  １ｘワイヤレスネットワークからのワイヤレス無線周波数信号を個別に受信することができるが、両方のワイヤレスネットワークから同時に受信することはできない（または場合によっては、両方のワイヤレスネットワークから同時に限定的に受信する能力を持つだけである）。最初に、シングルチップのモバイルワイヤレスデバイスが、ＬＴＥワイヤレスネットワークに関連付けられてもよく、例えば、ＬＴＥワイヤレスネットワークに接続または滞在してもよい。シングルチップのモバイルワイヤレスデバイスは、ＬＴＥワイヤレスネットワークとＣＤＭＡ２０００  １ｘワイヤレスネットワークとに同時に登録されてもよい。ＣＤＭＡ２０００  １ｘワイヤレスネットワークは、ページング期間中に、モバイルワイヤレスデバイスに宛てたページングを含んだページングメッセージを送信することによって、シングルチップのモバイルワイヤレスデバイスとの接続を確立することを目指してもよい。シングルチップのモバイルワイヤレスデバイスは、ＣＤＭＡ２０００  １ｘワイヤレスネットワークへのモバイル発の音声接続を実現するためかまたは、モバイル着の回線交換音声接続のためのモバイルワイヤレスデバイス宛てのページングを待ち受けるために、ＬＴＥワイヤレスネットワークとのパケット交換データ接続を中断してもよい。シングルチップのモバイルワイヤレスデバイスは、デバイス発またはデバイス着のＣＤＭＡ２０００  １ｘワイヤレスネットワークへの回線交換音声接続を確立するために、ＬＴＥワイヤレスネットワークへのパケット交換データ接続を一時停止してもよいが、高位レイヤの無線リソース接続、例えば、シングルチップのモバイルワイヤレスデバイスとＬＴＥワイヤレスネットワークとの間のシグナリング用の接続は、一時停止の間もそのままにされていてよい。一実施形態では、シングルチップのモバイルワイヤレスデバイスは、シングルチップのモバイルワイヤレスデバイスとの確立された無線リソース制御シグナリング接続を依然として維持しながらも少なくとも１つのページング期間中は無線リソース割当てを一時停止するようにＬＴＥワイヤレスネットワークに指示するために、無線リソース一時停止トリガをＬＴＥワイヤレスネットワークに送信してもよい。シングルチップのモバイルワイヤレスデバイスは、シングルチップのモバイルワイヤレスデバイス宛てのページングを含むページングメッセージを待ち受けるため、受信器のチューニング先をＬＴＥワイヤレスネットワークからＣＤＭＡ２０００  １ｘワイヤレスネットワークに変更してもよい。シングルチップのモバイルワイヤレスデバイス宛てのページングを含むページングメッセージが、ＣＤＭＡ２０００  １ｘネットワークから受信されない場合には、シングルチップのモバイルワイヤレスデバイスは、比較的短い時間内に、例えばおよそ１００ｍｓ以内に、受信器をまたＬＴＥワイヤレスネットワークにチューニングし直してもよい。ＬＴＥワイヤレスネットワークへのパケット交換データ接続の（および並行する高位レイヤのシグナリング接続の）短い中断は、���ＴＥワイヤレス接続が中断されることなく提供されうる。代表的な一実施形態では、シングルチップのモバイルワイヤレスデバイスは、無線リソース制御シグナリング接続上でシグナリングメッセージをＬＴＥワイヤレスネットワークに送信して、シングルチップのモバイルワイヤレスデバイスは、シングルチップのモバイルワイヤレスデバイスへの無線リソース割当ての再開の準備ができていることを示してもよい。一時停止期間中のＬＴＥワイヤレスネットワークとシングルチップのモバイルワイヤレスデバイスとの間のアクティブなデータ転送は、もしシングルチップのモバイルワイヤレスデバイスとＬＴＥワイヤレスネットワークとの間のデータ転送が一時停止されていなかったならば、ページング期間中にＣＤＭＡ２０００  １ｘワイヤレスネットワーク上でシングルチップのモバイルワイヤレスデバイス宛てのページングを待ち受けるための短い中断の間に失われていただろう。
【００２８】
ＣＤＭＡ２０００  １ｘワイヤレスネットワークからシングルチップのモバイルワイヤレスデバイス宛てのページングを受信した後、シングルチップのモバイルワイヤレスデバイスは、ＣＤＭＡ２０００  １ｘワイヤレスネットワークとの音声接続を確立してもよい。シングルチップのモバイルワイヤレスデバイスとＣＤＭＡ２０００  １ｘワイヤレスネットワークとの間の音声接続の結果として、シングルチップのモバイルワイヤレスデバイスとＬＴＥワイヤレスネットワークとの間のデータトラヒックおよびシグナリングトラヒックに長い中断が生じる可能性がある。ＬＴＥワイヤレスネットワークによってシングルチップのモバイルワイヤレスデバイスに割り当てられた下りリンクおよび上りリンク無線リソースは、事前に一時停止されなかった場合、この長い中断の間未使用のままになる可能性があり、それは、ＬＴＥワイヤレスネットワークのアクセスネットワーク部分の希少なリソースを不必要に浪費することになりうる。ＬＴＥワイヤレスネットワークへの無線リソース制御（ＲＲＣ）接続は、シングルチップのモバイルワイヤレスデバイスからＬＴＥワイヤレスネットワークへ送信される確認応答の欠落のため、結局時間切れになりうる。ＲＲＣ接続は、アイドル状態になるか、または、シングルチップのモバイルワイヤレスデバイスとＬＴＥワイヤレスネットワークとの間の接続が中断される可能性がある。受信器をまたＬＴＥワイヤレスネットワークにチューニングし直す場合、シングルチップのモバイルワイヤレスデバイスは、ＬＴＥワイヤレスネットワークとの新たなＲＲＣ接続を再度確立することが必要となることがある。
【００２９】
ＣＤＭＡ２０００  １ｘワイヤレスネットワークからシングルチップのモバイルワイヤレスデバイス宛てのページングを待ち受けるため、シングルチップのモバイルワイヤレスデバイスは、通常のページング期間中に受信器をＣＤＭＡ２０００  １ｘワイヤレスネットワークにチューニングしてもよい。一実施形態では、ＣＤＭＡ２０００  １ｘワイヤレスネットワークは、およそ５．１２秒のページング周期で動作してもよい。シングルチップのモバイルワイヤレスデバイスは、ＣＤＭＡ２０００  １ｘワイヤレスネットワークからの接続要求を、適切なページング期間中にＣＤＭＡ２０００  １ｘワイヤレスネットワークによって送信されるシングルチップのモバイルワイヤレスデバイス宛てのページングを含むページングメッセージを待ち受けて受信することによって、認識することができる。３ＧＰＰ通信標準文書２３．２７２リリース９は、並行するＣＤＭＡ２０００  １ｘワイヤレスネットワークに対する待ち受け（またはそれに対する接続）を行う前にＬＴＥワイヤレスネットワークとの接続を終了させるための拡張サービス要求（ＥＳＲ）メッセージを含んでいる。モバイルワイヤレスデバイスは、自分の受信器をＣＤＭＡ２０００  １ｘワイヤレスネットワークにチューニングする前に、ＥＳＲメッセージをＬＴＥワイヤレスネットワークに送信し、それによって、モバイルワイヤレスデバイスに割り当てられたＬＴＥ無線リソースを解放することや、ＬＴＥ  ＲＲＣシグナリング接続を終了させてもよい。ＥＳＲメッセージを送信して、その後ＣＤＭＡ２０００  １ｘワイヤレスネットワークにチューニングすることは、特に音声接続は比較的長時間続くことがあるため、モバイル発のＣＤＭＡ２０００  １ｘワイヤレスネットワークへの音声接続に効果的に用いることができる。短い時間間隔については（例えば、およそ１００ｍｓという比較的短い期間がそれぞれ一定の時間間隔で離れていて、その期間にページングメッセージを待ち受けるためにシングルチップのモバイルワイヤレスデバイスの受信器をチューニングするような場合には）、並行するＣＤＭＡ２０００  １ｘワイヤレスネットワークからのページングを待ち受けるために受信器をチューニングする度にその前にＥＳＲメッセージを送信すれば、ＬＴＥワイヤレスネットワークに不要に高いシグナリング負荷をかける可能性がある。ＬＴＥワイヤレスネットワークへのＲＲＣシグナリング接続は、ページングを待ち受けるためにページング期間毎にＥＳＲメッセージを送信することによって繰り返し解放され、次いで、ページング期間中にシングルチップのモバイルワイヤレスデバイス宛てのページングを受信しなかった場合に、再度確立されてもよい。ほとんどの場合、シングルチップのモバイルワイヤレスデバイス宛てのページングは、ページング期間が生じうる頻度より相当低い頻度で受信されると考えられる。希少なシグナリング無線リソースが、ＬＴＥワイヤレスネットワークとのＲＲＣシグナリング接続の解放と再度の確立との繰り返しによって浪費される可能性がある。シングルチップのモバイルワイヤレスデバイス宛てのページングを受信した後に限ってＥＳＲメッセージを送信すれば、ＬＴＥワイヤレスネットワーク上のシグナ��ング負荷を減らすことができ、それによってＬＴＥワイヤレスネットワークの無線アクセス部分におけるシグナリング効率を改善することができる。別の実施形態では、ＬＴＥワイヤレスネットワークとのＲＲＣ接続を解放するためにＥＳＲメッセージをいつ送信するのかは、本明細書でさらに説明するように、ＣＤＭＡ２０００  １ｘワイヤレスネットワークとの接続を確立するために、シングルチップのワイヤレスデバイス宛てのページングに応答する時間とバランスされてもよい。
【００３０】
図１は、代表的な一般的なワイヤレスネットワーク１００を示す図であり、ここには、無線アクセスネットワーク１２８によって提供される無線セクタ１０４に無線リンク１２６によって接続される複数のモバイルワイヤレスデバイス１０２が含まれていてもよい。各無線セクタ１０４は、選択された周波数で動作する無線周波数チャネルを用いて関連の無線ノード１０８から広がる無線カバレージの地理的エリアを表してもよい。各無線ノード１０８は、モバイルワイヤレスデバイス１０２が１つ以上の無線リンク１２６によって接続することのできる１つ以上の無線セクタ１０４を生成してもよい。モバイルワイヤレスデバイス１０２と無線アクセスネットワーク１２８との間でモバイルに着信する接続を形成するため、無線アクセスサブシステム１０６の中の無線コントローラ１１０は、シグナリングメッセージ、例えば、モバイルワイヤレスデバイス１０２宛てのページングを含むページングメッセージを送信するよう無線ノード１０８に命令してもよい。また、一部のネットワークでは、無線コントローラ１１０は、次のページングについてモバイルワイヤレスデバイス１０２に通知するために、ページングメッセージの前にシグナリングインジケータ、例えばページングインジケータビットを送信するよう無線ノード１０８に命令してもよい。ページングを受信した後、モバイルワイヤレスデバイス１０２は、無線周波数チャネル上で接続要求メッセージを送信することによってワイヤレスネットワーク１００とのアクティブな接続を確立しようとしてもよい。（接続要求は、他の情報と一緒に共通メッセージの中にバンドルされてもよく、単独の別個の接続要求メッセージである必要はない。）
【００３１】
一部のワイヤレスネットワーク１００では、モバイルワイヤレスデバイス１０２は、２つ以上の無線セクタ１０４に同時に接続されてもよい。モバイルワイヤレスデバイス１０２が接続されうる複数の無線セクタ１０４が、単一の無線ノード１０８から広がってもよいし、共通の無線コントローラ１１０を共有しうる複数の個別の無線ノード１０８から広がってもよい。無線ノード１０８のグループと関連の無線コントローラ１１０とを一緒にして、無線アクセスサブシステム１０６と呼ぶこともある。典型的には、無線アクセスサブシステム１０６の中の各無線ノード１０８は、アンテナタワーに取り付けられた一組の無線周波数送受信機器を含んでいてもよく、無線ノード１０８に接続された無線コントローラ１１０は、送受信される無線周波数信号を制御して処理するための電子機器を含んでいてもよい。無線コントローラ１１０は、モバイルワイヤレスデバイス１０２を無線アクセスネットワーク１２８に接続する無線リンク１２６の確立と維持と解放とを管理してもよい。
【００３２】
無線セクタ１０４において無線リンク１２６を形成する無線リソースは、時分割、周波数分割、符号分割、空間分割、およびそれらの組み合わせを含む複数の異なる多重化技法を用いて共有されてもよい。無線リソース制御（ＲＲＣ）シグナリング接続を用いて、モバイルワイヤレスデバイス１０２と無線アクセスネットワーク１２８の無線アクセスサブシステム１０６の中の無線コントローラ１１０との間で、複数のモバイルワイヤレスデバイス１０２への無線リソースを求める要求とダイナミックな割当てとを含めて、通信が行われてもよい。モバイルワイヤレスデバイス１０２への無線リソースの割当ての一時停止が、本明細書でさらに説明するように、モバイルワイヤレスデバイス１０２への無線リソースシグナリング接続を廃止することなく、行われてもよい。
【００３３】
無線アクセスネットワーク１２８は、モバイルワイヤレスデバイス１０２への無線周波数エアリンク接続を提供し、また、通常は音声トラヒックに使用される回線交換領域１２２と、通常はデータトラヒックに使用されるパケット交換領域１２４とを含みうるコアネットワーク１１２へも接続する。無線アクセスネットワーク１２８の無線アクセスサブシステム１０６の中の無線コントローラ１１０は、コアネットワーク１１２の回線交換領域１２２内の回線交換センタ１１８とパケット交換領域内のパケット交換ノード１２０とのいずれにも接続してよい。回線交換センタ１１８は、例えば音声呼のような回線交換トラヒックを公衆交換電話網（ＰＳＴＮ）１１４へルーティングしてもよい。パケット交換ノード１２０は、例えば「コネクションレス」のデータパケットの集合を公衆データ網（ＰＤＮ）１１６へルーティングしてもよい。
【００３４】
図２は、代表的なＣＤＭＡ２０００  １ｘワイヤレスネットワーク２００を示す図であり、ここには、図１に示す一般的なワイヤレスネットワーク１００について説明したものに匹敵する各要素が含まれていてもよい。複数の移動局２０２が、無線周波数リンク２２６を経て１つ以上の無線セクタ２０４に接続していてもよい。各無線セクタ２０４は、無線基地局（ＢＴＳ）２０８から放射状に外へ広がってもよく、無線基地局（ＢＴＳ）２０８は、基地局コントローラ（ＢＳＣ）２１０へと接続し、それらが一緒になって基地局サブシステム（ＢＳＳ）２０６を形成してもよい。複数の基地局サブシステム２０６が統合されて、無線アクセスネットワーク２２８を形成してもよい。異なる基地局サブシステム２０６の基地局コントローラ２１０が、相互接続されてもよい。基地局コントローラ２１０は、複数の移動通信交換局（ＭＳＣ）２１８を用いる回線交換領域２２２と、パケットデータサービスノード群（ＰＤＳＮ）２２０で形成されるパケット交換領域２２４とのいずれにも接続してよく、それら両方の領域が一緒になってワイヤレスネットワーク２００のコアネットワーク２１２を形成してもよい。上記の一般的なワイヤレスネットワーク１００と同様に、コアネットワーク２１２の回線交換領域２２２がＰＳＴＮ１１４に相互接続されてもよく、一方でコアネットワーク２１２のパケット交換領域２２４がＰＤＮ１１６に相互接続されてもよい。ＣＤＭＡ２０００  １ｘワイヤレスネットワーク２００上で接続を確立することは、移動局２０２が、着信を示すページングをＢＳＳ２０６から受信することに依存する可能性がある。移動局２０２には、特定のページング期間中、ページングを待ち受けることが求められる可能性がある。ページングを受信しなければ、移動局２０２は、移動局２０２とＣＤＭＡ２０００  １ｘワイヤレスネットワーク２００との間の接続を形成するための要求に気付かない可能性がある。
【００３５】
図３は、パケット交換網専用として設計された代表的なＬｏｎｇ  Ｔｅｒｍ  Ｅｖｏｌｕｔｉｏｎ（ＬＴＥ）ワイヤレスネットワーク３００のアーキテクチャを示す図である。移動端末３０２が、進化型ノードＢ（ｅノードＢ）３１０から広がる無線セクタ３０４に関連する無線リンク３２６を経て進化型無線アクセスネットワーク３２２に接続してもよい。ｅノードＢ３１０は、（例えばＣＤＭＡ２０００  １ｘワイヤレスネットワーク２００の中のＢＴＳ２０８のような）送受信基地局としての機能だけでなく、（例えばＣＤＭＡ２０００  １ｘワイヤレスネットワーク２００の中のＢＳＣ２１０のような）基地局無線コントローラとしての機能も有している。ＬＴＥワイヤレスネットワーク３００の同等のコアネットワークは、進化型パケットコアネットワーク３２０であり、これにはサービングゲートウェイ３１２が含まれていて、これらが進化型無線アクセスネットワーク３２２を、外部インターネットプロトコル（ＩＰ）ネットワーク３１８に接続している公衆データ網（ＰＤＮ）ゲートウェイ３１６と相互接続している。複数のｅノードＢ３１０がグループ化されて、一緒に進化型ＵＴＲＡＮ（ｅＵＴＲＡＮ）３０６を形成してもよい。また、ｅノードＢ３１０は、移動端末３０２の接続を制御できるモビリティ管理エンティティ３１４に接続されてもよい。
【００３６】
図４は、ＬＴＥワイヤレスネットワーク３００とＣＤＭＡ２０００  １ｘワイヤレスネットワーク２００とのどちらとも通信するモバイルワイヤレスデバイス１０２を示す図である。ＣＤＭＡ２０００  １ｘワイヤレスネットワーク２００は、移動交換局（ＭＳＣ）２１８を経て回線交換に基づく公衆交換電話網（ＰＳＴＮ）１１４と接続することができる。ＣＤＭＡ２０００  １ｘワイヤレスネットワーク２００のＭＳＣ２１８は、モバイルワイヤレスデバイス１０２用の呼のシグナリングを調整するためにＬＴＥワイヤレスネットワーク３００のＭＭＥ３１４と相互接続されてもよい。一部の実施形態では、ＣＤＭＡ２０００  １ｘワイヤレスネットワーク２００が、例えばモバイルワイヤレスデバイス１０２とＰＳＴＮ１１４との間の音声接続を確立するために、無線リンク２２６を経てモバイルワイヤレスデバイス１０２との接続を確立しようとしてもよい。ＣＤＭＡ２０００  １ｘワイヤレスネットワーク２００は、着信する音声接続の利用可能性を示すために、無線リンク２２６を用いてページングメッセージをモバイルワイヤレスデバイス１０２に送信してもよい。適切なページング期間中にＣＤＭＡ２０００  １ｘワイヤレスネットワーク２００からのページングメッセージを待ち受けるためにモバイルワイヤレスデバイス１０２の受信器がチューニングされない限り、モバイルワイヤレスデバイス１０２は、ページング期間中、ＬＴＥワイヤレスネットワーク３００に接続されてもよく、着信する音声接続に気付かない可能性がある。デュアルチップのモバイルワイヤレスデバイス１０２であれば、ＬＴＥワイヤレスネットワーク３００に接続され、同時にＣＤＭＡ２０００  １ｘワイヤレスネットワーク２００に対する待ち受けを行うことができるが、受信能力が限られるシングルチップのモバイルワイヤレスデバイス１０２では、一度に１つのセルラーワイヤレスネットワークに対する待ち受けを行うことしかできない。本書で説明するように、シングルチップのモバイルワイヤレスデバイス１０２は、ＣＤＭＡ２０００  １ｘワイヤレスネットワークからのページングメッセージを周期的に待ち受け、一方では、同時に、ＬＴＥワイヤレスネットワーク３００へのシグナリングメッセージを最小化するために、少なくともＬＴＥワイヤレスネットワーク３００へのシグナリング接続を維持してもよい。ＬＴＥワイヤレスネットワーク３００は、ＬＴＥワイヤレスネットワーク３００と通信している他のモバイルワイヤレスデバイス１０２のために無線リソースを再使用することを目的として、ページング期間中はシングルチップのモバイルワイヤレスデバイス１０２への無線リソース割当てを一時停止してもよい。
【００３７】
図５は、デュアルチップのモバイルワイヤレスデバイス１０２の中の先行技術のデュアルチップのワイヤレス送信器／受信器（ＴＸ／ＲＸ）５１６に含まれうる、ワイヤレス信号処理要素５００の抜粋を示す図である。ＬＴＥ信号処理チップ５０２を用いて、デュアルチップのモバイルワイヤレスデバイス１０２とＬＴＥワイヤレスネットワーク３００との間を接続する一方で、ＣＤＭＡ２０００  １ｘ信号処理チップ５０４を用いて、デュアルチップのモバイルワイヤレスデバイス１０２とＣＤＭＡ２０００  １ｘワイヤレスネットワーク２００との間を接続してもよい。各信号処理チップは、一組のアンテナに接続され、それを通して、無線周波数信号が各々のワイヤレスネットワークとの間で送受信されてもよい。ＬＴＥ信号処理チップ５０２は、１つの送信アンテナ５０６と一対の受信アンテナ５０８／５１０とに接続されてもよい。複数の受信アンテナを用いて、多様な形態の受信ダイバーシチを通して性能を向上させてもよく、標準化されたワイヤレス通信プロトコルに基づいて複数の受信アンテナが必要とされることもある。別個のＣＤＭＡ２０００  １ｘ信号処理チップ５０４があれば、デュアルチップのモバイルワイヤレスデバイス１０２は、ＣＤＭＡ２０００  １ｘワイヤレスネットワーク２００を使って送信アンテナ５１２と受信アンテナ５１４とを経て無線周波数信号を送受信することができ、一方では、同時に、ＬＴＥワイヤレスネットワーク３００を使って別個の送信アンテナ５０６と受信アンテナ５０８／５１０とを経て無線周波数信号を送受信することができる。ＬＴＥ信号処理チップ５０２とＣＤＭＡ２０００  １ｘ信号処理チップ５０４とは、無線周波数信号通信をそれらの各々のワイヤレスネットワークと統合することを目的として、相互に接続されてもよい。図６に示すように、デュアルチップのワイヤレス送信器／受信器５１６は、柔軟性がある一方で、より高価で、より電力消費が多く、コンパクトかつ低電力のシングルチップのワイヤレス送信器／受信器よりも大きなスペースを占める可能性がある。
【００３８】
図６は、ＬＴＥワイヤレスネットワーク３００またはＣＤＭＡ２０００  １ｘワイヤレスネットワーク２００と、同時にではなく、個別に通信することができるシングルチップのモバイルワイヤレスデバイス１０２に属していてもよいシングルチップのワイヤレス送信器／受信器６１４を示す図である。ＬＴＥワイヤレスネットワーク３００に接続される場合、シングルチップのワイヤレスデバイス１０２は、単一の送信器（Ｔｘ）６０８と二重の受信器（Ｒｘ）６１０／６１２とを使用してもよい。ＣＤＭＡ２０００  １ｘワイヤレスネットワーク２００に接続される場合、シングルチップのワイヤレスデバイス１０２は、単一の送信器６０８と、単一の受信器（Ｒｘ６１０またはＲｘ６１２）または二重の受信器（Ｒｘ６１０およびＲｘ６１２）とを使用してもよい。ＬＴＥワイヤレスネットワーク３００とＣＤＭＡ２０００  １ｘワイヤレスネットワーク２００との両方について二重の受信器を使うと、より高い受信信号品質を提供することができ、従って、不利な信号条件下でも、より高いデータスループットおよび／または接続の信頼性を提供することができる。相互接続ブロック６０６によって、ＬＴＥ信号処理６０２ブロックかＣＤＭＡ２０００  １ｘ信号処理６０４ブロックかいずれか一方が無線信号を送信器６０８と、受信器６１０／６１２のいずれか一方または両方とを通してそれぞれ送受信することが可能になりうる。シングルチップのワイヤレスのモバイルワイヤレスデバイス１０２の範囲内で、シングルチップのワイヤレス送信器／受信器６１４が、例えば、アプリケーションのための接続を確立することや、各種のワイヤレスネットワークと通信を行うためのメッセージを作成することのような「高位レイヤ」機能を実行しうるアプリケーションプロセッサ（図示せず）に接続されてもよいが、一方で、シングルチップのワイヤレス送信器／受信器６１４は、例えば、アプリケーションプロセッサのためにメッセージを搬送する無線周波数信号の送受信の統合性を保証することのような「低位レイヤ」機能を行ってもよい。
【００３９】
図７は、モバイルワイヤレスデバイス１０２と、ワイヤレスネットワーク２００／３００の無線アクセスネットワーク２２８／３２２との間の無線周波数信号の通信に用いられうる４つの異なる送信方法と受信方法とを示す図である。複数の送信アンテナおよび／または受信アンテナを、性能を改良するための送信信号パスのダイバーシチのため、および、スループットを高めるための空間多重化のために用いてもよい。単一送信器、単一受信器の無線周波数チャネル７００が、各端で１つの送信器７０２と１つの受信器７０４とが用いられる、基本的な形の通信を提供する。単一送信器、複数受信器の無線周波数チャネル７１０は、各端で複数の並行する受信アンテナの各々から受信される信号を合成することによって、受信信号強度を向上させるための受信ダイバーシチを提供することができる。図示するように、単一の送信器７０２からの信号は、２つの異なるアンテナ７０６によって受信される可能性がある。また、図７には受信アンテナを２つだけ示しているが、ワイヤレス通信プロトコルによって３つ以上の受信アンテナが指定され、進化型モバイルワイヤレスデバイスの中で用いられてもよい。複数の送信器、単一の受信器の無線周波数チャネル７２０は、複数のアンテナの各々を通して同じデータ（場合によっては、符号化は異なるけれども）を送信することによって、送信ダイバーシチの一形態を提供してもよい。単一アンテナの受信器７０４は、２つの送信アンテナ７０８の各々から受信した情報を合成して、受信信号性能を向上させてもよい。最後に、複数の送信器、複数の受信器の無線周波数通信チャネル７３０は、受信信号性能を向上させることもデータレートを増加させることもどちらも可能な、複数入力複数出力（ＭＩＭＯ）の形態の通信を提供することができる。並行するデータストリームが、複数の送信アンテナの各々によって送信されてもよく、複数の受信アンテナは、受信された信号を分離して、並行するデータストリームを再構成することができる。（送信アンテナと受信アンテナとを含めて）複数アンテナの利用は、ロバスト性を高めて高速のデータ送信レートを達成するための、進化型ワイヤレス通信プロトコルにおける重要な要件でありうる。
【００４０】
図８に示すように、モバイルワイヤレスデバイス１０２は、ワイヤレス通信プロトコルスタック８００／８１０を用いてＬＴＥワイヤレスネットワーク３００に接続してもよい。ユーザプレーンのプロトコルスタック８１０には、モバイルワイヤレスデバイス１０２とＬＴＥワイヤレスネットワーク３００のｅノードＢ３１０との間の無線リンク３２６を経由する複数の「転送」チャネルの統合性を保証するための物理レイヤ（ＰＨＹ）が含まれていてもよい。（また、同等のプロトコルスタックが、ＣＤＭＡ２０００  １ｘワイヤレスネットワーク２００について用いられてもよい。）媒体アクセス制御（ＭＡＣ）レイヤが、複数の論理チャネルを転送チャネルにマッピングしてもよく、一方で、無線リンク制御（ＲＬＣ）レイヤが、モバイルワイヤレスデバイス１０２とＬＴＥワイヤレスネットワーク３００との間の通信のためのデータとシグナリングメッセージとをフォーマットしてもよい。パケットデータコンバージェンスプロトコル（ＰＤＣＰ）レイヤが、ＬＴＥワイヤレスネットワーク３００を経由する通信のために高位レイヤから受信されたデータメッセージの圧縮と暗号化とを制御してもよい。制御プレーンのプロトコルスタック８００には、ユーザプレーンのプロトコルスタック８１０と同じレイヤと、無線リンク３２６を経由する通信のための無線リソースを確立し、維持し、共有し、廃止するための無線リソース制御（ＲＲＣ）レイヤを含めて追加のレイヤとが、含まれることがある。ＲＲＣ／ＰＤＣＰ／ＲＬＣ／ＭＡＣ／ＰＨＹプロトコルレイヤは、モバイルワイヤレスデバイス１０２をＬＴＥワイヤレスネットワーク３００のｅノードＢ３１０に接続する「アクセス階層」を形成してもよい。また、制御プレーンのプロトコルスタック８００は、モバイルワイヤレスデバイス１０２をＬＴＥワイヤレスネットワーク３００の中のモビリティ管理エンティティ（ＭＭＥ３１４）に接続しうる高位レイヤである「非アクセス階層」（ＮＡＳ）を含んでいてもよい。ＮＡＳレイヤは、モバイルワイヤレスデバイス１０２をＬＴＥワイヤレスネットワーク３００に関連付ける時に、そして、ＬＴＥワイヤレスネットワーク３００を経由してベアラチャネルを確立および解放するために用いられてもよい。
【００４１】
図９は、無線リソース制御（ＲＲＣ）接続を解放するための、モバイルワイヤレスデバイス１０２とＬＴＥワイヤレスネットワーク３００のｅノードＢ３１０との間の、先行技術のメッセージ交換９００を示す図である。モバイルワイヤレスデバイス１０２が、ＣＤＭＡ２０００  １ｘワイヤレスネットワーク２００との音声接続を発信しようとする場合、モバイルワイヤレスデバイスは、拡張サービス要求（ＥＳＲ）メッセージ９０２を送信することによってＬＴＥワイヤレスネットワーク３００との接続を切ってもよい。ＥＳＲメッセージは、モバイルワイヤレスデバイス１０２が、比較的長い時間、例えば音声接続の間、自分の受信器のチューニング先をＬＴＥワイヤレスネットワーク３００からＣＤＭＡ２０００  １ｘワイヤレスネットワーク２００に変更しようとする場合に適切である可能性がある。ＬＴＥワイヤレスネットワーク３００は、既存のＲＲＣ接続を解放して、ＲＲＣ接続解放メッセージ９０４を送信することによってモバイルワイヤレスデバイス１０２に解放の指標を提供してもよい。ＲＲＣ接続の解放は、ＬＴＥワイヤレスネットワーク３００との既存の接続の秩序ある終了を保証することができるが、ただし、モバイルワイヤレスデバイス１０２が、ＬＴＥワイヤレスネットワーク３００との接続を再度確立しようとする場合、新規のＲＲＣ接続を確立しなければならない。例えば、定期的に送信されるページング期間中にモバイルワイヤレスデバイス１０２宛てのページングを待ち受けるために受信器をＬＴＥワイヤレスネットワーク３００からＣＤＭＡ２０００ワイヤレスネットワーク２００へとチューニングすることのように、ＬＴＥワイヤレスネットワーク３００との接続を短時間で比較的頻繁に中断する場合には、ＲＲＣ接続を解放した後に各ページング期間についてＲＲＣ接続を再度確立すると、ＬＴＥワイヤレスネットワーク３００の進化型無線アクセスネットワーク３２２に不要にシグナリング負荷を追加してしまう可能性がある。
【００４２】
代表的な実施形態では、シングルチップのモバイルワイヤレスデバイス１０２は、ＣＤＭＡ２０００  １ｘワイヤレスネットワーク２００上でページング期間中にページングメッセージを待ち受けるため受信器をチューニングする前にＥＳＲメッセージ９０２をＬＴＥワイヤレスネットワーク３００に送信するのではなく、ＣＤＭＡ２０００  １ｘワイヤレスネットワーク２００からのページングメッセージを監視してもよい。一部の実施形態では、ＣＤＭＡ２０００  １ｘワイヤレスネットワーク２００からシングルチップのモバイルワイヤレスデバイス１０２宛てのページングを含むページングメッセージを受信した後、シングルチップのモバイルワイヤレスデバイス１０２は、ページングを受信した後であってかつＣＤＭＡ２０００  １ｘワイヤレスネットワークとの接続を完了する前に、ＥＳＲメッセージ９０２をＬＴＥワイヤレスネットワーク３００へ送信してもよい。他の実施形態では、シングルチップのモバイルワイヤレスデバイス１０２は、ＣＤＭＡ２０００  １ｘワイヤレスネットワーク２００上でページングメッセージを待ち受けるために受信器をチューニングする前に、ＥＳＲメッセージ９０２ではなく一時停止メッセージをＬＴＥワイヤレスネットワーク３００へ送信してもよい。一時停止メッセージを受信した後、ＬＴＥワイヤレスネットワーク３００は、その後のシグナリングメッセージをシングルチップのモバイルワイヤレスデバイス１０２から受信するまで、アクセスネットワークにおける無線リソースの割当てを一時停止してもよい。ＲＲＣ接続は、短い一時停止期間の間は維持され、タイムアウト期間に基づく長い一時停止期間の後で解放されてもよい。ＬＴＥワイヤレスネットワーク３００とＣＤＭＡ２０００  １ｘワイヤレスネットワーク２００との間でシングルチップのモバイルワイヤレスデバイス１０２の中の１つ以上の受信器をチューニングする間に短い期間についてＲＲＣ接続を解放するのではなく一時停止することによって、シングルチップのモバイルワイヤレスデバイス１０２は、ＬＴＥワイヤレスネットワーク３００への新たなＲＲＣ接続を再度確立する必要がなく、ＬＴＥワイヤレスネットワーク３００への接続を再開することができる。
【００４３】
図１０は、モバイルワイヤレスデバイス１０２が、第１のワイヤレスネットワークに関連付けられ、かつ、同時に第２のワイヤレスネットワークにも登録されている場合に、モバイルワイヤレスデバイス１０２と第１のワイヤレスネットワークとの間の無線リソースを管理するための代表的な方法１０００を示す図である。ステップ１００２では、モバイルワイヤレスデバイス１０２は、無線リソース一時停止トリガを第１のワイヤレスネットワークに送信する。無線リソース一時停止トリガは、モバイルワイヤレスデバイス１０２が自分の受信器を、ある期間には第２のワイヤレスネットワークにチューニングするであろうから、その期間には、第１のワイヤレスネットワークはモバイルワイヤレスデバイス１０２に無線リソースを割り当てる必要はないということを、第１のワイヤレスネットワークに示してもよい。第１のワイヤレスネットワークは、無線リソースの割当てを再開するための指標をモバイルワイヤレスデバイス１０２から受信するまで、モバイルワイヤレスデバイス１０２に対する無線リソースの割当てを一時停止してもよい。一実施形態では、無線リソースの割当てを再開するための指標は、一時停止に続いて、モバイルワイヤレスデバイス１０２から第１のワイヤレスネットワークがシグナリングメッセージを受信することであってもよい。ステップ１００４で、モバイルワイヤレスデバイス１０２が、ページング期間中に送信されるページングメッセージを待ち受けるために、モバイルワイヤレスデバイス１０２の１つ以上の受信器を第２のワイヤレスネットワークにチューニングする。ステップ１００６で、モバイルワイヤレスデバイス１０２は、モバイルワイヤレスデバイス１０２宛てのページングを含むページングメッセージが、ページング期間中に第２のワイヤレスネットワークから受信されたかどうかを判定する。モバイルワイヤレスデバイス１０２宛てのページングが、ステップ１００６のページング期間中に第２のワイヤレスネットワークから受信された場合には、ステップ１０１２で、モバイルワイヤレスデバイス１０２は、第２のワイヤレスネットワークとの接続を確立する。ページングメッセージが受信されないかまたはページングメッセージが、ステップ１００６のページング期間中に別のデバイス宛てのページングと共に受信された場合には、ステップ１００８で、モバイルワイヤレスデバイス１０２は、１つ以上の受信器を、第２のワイヤレスネットワークからまた第１のワイヤレスネットワークにチューニングし直す。ステップ１０１０では、モバイルワイヤレスデバイス１０２は、シグナリングメッセージを第１のワイヤレスネットワークに送信し、それによって、第１のワイヤレスネットワークとの送受信を再開する用意が出来ていることを第１のワイヤレスネットワークに示す。シグナリングメッセージに応じて、第１のワイヤレスネットワークは、モバイルワイヤレスデバイス１０２への無線リソースの割当てを再開することができる。モバイルワイヤレスデバイス１０２への無線リソースの割当てを一時停止させるためにＥＳＲメッセージが送信される必要はなく、モバイルワイヤレスデバイス１０２と第１のワイヤレスネットワークとの間のＲＲＣシグナリング接続は、一時停止期間中も依然として有効であってよい。
【００４４】
代表的な一実施形態では、第１のワイヤレスネットワークはＬＴＥワイヤレスネットワーク３００であり、第２のワイヤレスネットワークはＣＤＭＡ２０００  １ｘワイヤレスネットワーク２００である。シングルチップのモバイルワイヤレスデバイス１０２は、ＣＤＭＡ２０００  １ｘワイヤレスネットワーク２００から受信されるページングを待ち受けるために、受信器のチューニング先をＬＴＥワイヤレスネットワーク３００からＣＤＭＡ２０００  １ｘワイヤレスネットワーク２００に変更する前に、一時停止トリガをＬＴＥワイヤレスネットワーク３００に送信する。シングルチップのモバイルワイヤレスデバイス１０２からの一時停止トリガは、シングルチップのモバイルワイヤレスデバイス１０２が、ある期間には受信器のチューニングが離されるであろうということをＬＴＥワイヤレスネットワーク３００に示してもよい。送信される一時停止トリガは、シングルチップのモバイルワイヤレスデバイス１０２とＬＴＥワイヤレスネットワーク３００との間のＲＲＣ接続は一時停止されるけれども必ずしも解放されないという点で、拡張サービス要求（ＥＳＲ）メッセージとは異なっていることがある。一実施形態では、一時停止トリガは、シングルチップのモバイルワイヤレスデバイス１０２によって定期的にＬＴＥワイヤレスネットワーク３００に送信されるシグナリングメッセージについての一組の所定の値を含んでいる。代表的な実施形態では、一時停止トリガは、チャネル品質情報（ＣＱＩ）と、プリコーディングマトリクス指標（ＰＭＩ）と、ランク指標（ＲＩ）とのうちの１つ以上の値の事前設定された組み合わせであってもよい。一時停止トリガを受信すると、ＬＴＥワイヤレスネットワーク３００は、シングルチップのモバイルワイヤレスデバイス１０２への無線リソースの割当てを下り方向と上り方向とのいずれにおいても一時停止する。ＬＴＥワイヤレスネットワーク３００とシングルチップのモバイルワイヤレスデバイス１０２との間の無線リソース制御（ＲＲＣ）接続は、一時停止の間（少なくとも一定時間は）ＬＴＥワイヤレスネットワーク３００によって維持される。ＬＴＥワイヤレスネットワーク３００は、シングルチップのモバイルワイヤレスデバイス１０２へのデータ送信を一時停止し、その後、下り方向におけるデータパケットを損失することなく、シングルチップのモバイルワイヤレスデバイス１０２へのデータ送信を再開し、それによってデータ送信の完全性を維持する。無線リソースが、一時停止の間にＬＴＥワイヤレスネットワーク３００によって他のモバイルワイヤレスデバイス１０２に割り当てられ、それによってアクセスネットワークの無線リソースの効率が改善されてもよい。
【００４５】
シングルチップのモバイルワイヤレスデバイス１０２は、自分の受信器がＣＤＭＡ２０００  １ｘワイヤレスネットワーク２００にチューニングされている期間中にシングルチップのモバイルワイヤレスデバイス１０２宛てのページングをＣＤＭＡ２０００  １ｘワイヤレスネットワーク２００から受信しなかった場合、シングルチップのモバイルワイヤレスデバイス１０２は、ＬＴＥワイヤレスネットワーク３００に戻る（すなわち、自分の受信器をまたＬＴＥワイヤレスネットワーク３００にチューニングし直す）。ＬＴＥ接続の中断は、比較的短く、例えばおよそ１００ｍｓであってもよい。受信器をまたＬＴＥワイヤレスネットワーク３００にチューニングし直した後、シングルチップのモバイルワイヤレスデバイス１０２は、シグナリングメッセージをＬＴＥワイヤレスネットワーク３００に送信して、自分の受信器がまたＬＴＥワイヤレスネットワーク３００にチューニングし直していることを（直接的または間接的に）示す。次いでＬＴＥワイヤレスネットワーク３００は、シングルチップのモバイルワイヤレスデバイス１０２への無線リソースの割当てを再開してもよい。ＬＴＥワイヤレスネットワーク３００に対する一時停止トリガと「再開」指標とはいずれも、例えばＣＱＩ／ＰＭＩ／ＲＩメッセージのような定期的に送信されるシグナリングメッセージを使うことができ、従って、シングルチップのモバイルワイヤレスデバイス１０２とＬＴＥワイヤレスネットワーク３００との接続の一時停止と再開とを実現するためにＬＴＥワイヤレスネットワーク３００に追加のシグナリング負荷が必要になる可能性はない。
【００４６】
シングルチップのモバイルワイヤレスデバイス１０２が、自分の受信器がＣＤＭＡ２０００  １ｘワイヤレスネットワーク２００にチューニングされている期間中にシングルチップのモバイルワイヤレスデバイス１０２宛てのページングをＣＤＭＡ２０００  １ｘワイヤレスネットワーク２００から受信した場合、シングルチップのモバイルワイヤレスデバイス１０２は、ＣＤＭＡ２０００  １ｘワイヤレスネットワーク２００に対するモバイルに着信する接続を確立する。シングルチップのモバイルワイヤレスデバイス１０２の中の受信器は、ＣＤＭＡ２０００  １ｘワイヤレスネットワーク２００の接続がアクティブであり続ける間、ＣＤＭＡ２０００  １ｘワイヤレスネットワーク２００へのチューニングを保ち続ける。ＣＤＭＡ２０００  １ｘワイヤレスネットワーク２００への接続が十分長い場合、ＬＴＥワイヤレスネットワーク３００への並行するＲＲＣ接続は、最終的にタイムアウトになる。ＣＤＭＡ２０００  １ｘワイヤレスネットワーク２００への接続が終了すると、シングルチップのモバイルワイヤレスデバイス１０２は、自分の受信器をまたＬＴＥワイヤレスネットワーク３００にチューニングし直し、ＬＴＥワイヤレスネットワーク３００とのアクティブなデータ転送を再開するために、ＬＴＥワイヤレスネットワーク３００へのＲＲＣ接続を確立する。
【００４７】
図１１は、モバイルワイヤレスデバイス１０２と第１のワイヤレスネットワークとの間の無線リソースを管理するための、別の代表的な方法１１００を示す図である。ステップ１１０２で、第１のワイヤレスネットワーク内の無線アクセスサブシステムが、モバイルワイヤレスデバイス１０２から無線リソース一時停止トリガを受信する。ステップ１１０４では、第１のワイヤレスネットワーク内の無線アクセスサブシステムは、第１のワイヤレスネットワークとモバイルワイヤレスデバイス１０２との間の既存の無線リソース制御（ＲＲＣ）接続を維持する。ステップ１１０６では、第１のワイヤレスネットワーク内の無線アクセスサブシステムは、第２のワイヤレスネットワークの１つ以上のページング周期の間、モバイルワイヤレスデバイス１０２に対する送信方向と受信方向との両方における無線リソースの割当てを一時停止する。一部の実施形態では、第１のワイヤレスネットワークは、第２のワイヤレスネットワークのページング周期に対応する特定の期間を知っていてもよく、一方で、別の実施形態では、第１のワイヤレスネットワークは、ページング周期の特定の期間を知らなくてもよい。モバイルワイヤレスデバイス１０２への無線リソース割当ての一時停止は、ステップ１１０８で無線アクセスサブシステムが、モバイルワイヤレスデバイス１０２からシグナリングメッセージを受信したと判定するまで続く。シグナリングメッセージは、モバイルワイヤレスデバイス１０２が第１のワイヤレスネットワークへの一時停止された接続を経由して送受信を再開する準備が完了していることを、第１のワイヤレスネットワークに示すものである。ステップ１１１０では、第１のワイヤレスネットワークが、モバイルワイヤレスデバイス１０２への送信方向と受信方向との両方における無線リソースの割当てを再開する。
【００４８】
図１２は、モバイルワイヤレスデバイス１０２と第１のワイヤレスネットワークとの間の無線リソースを管理するための、別の代表的な方法を示す図である。モバイルワイヤレスデバイスが第１のワイヤレスネットワークに関連付けられ、かつ、同時に第２のワイヤレスネットワークにも登録されている場合、モバイルワイヤレスデバイス１０２は、ステップ１２０２で、モバイルワイヤレスデバイス１０２の少なくとも１つの受信器を、第２のワイヤレスネットワークのページング期間中に第２のワイヤレスネットワークにチューニングする。ステップ１２０４で、モバイルワイヤレスデバイス１０２は、モバイルワイヤレスデバイス１０２宛てのページングが、ページング期間中に受信されたかどうかを判定する。モバイルワイヤレスデバイス１０２宛てのページングが、ページング期間中に受信された場合、モバイルワイヤレスデバイスは、ステップ１２０８で、モバイルワイヤレスデバイス１０２と第１のワイヤレスネットワークとの間の無線リソース制御（ＲＲＣ）接続の解放を要求するシグナリングメッセージを第１のワイヤレスネットワークに送信する。代表的なＲＲＣ解放メッセージはＥＳＲメッセージである。ステップ１２１０で、モバイルワイヤレスデバイス１０２は、モバイルワイヤレスデバイス１０２宛てのページングの受信に応じて、モバイルワイヤレスデバイス１０２と第２のワイヤレスネットワークとの間の接続を確立する。ＲＲＣ接続の解放を要求するシグナリングメッセージは、モバイルワイヤレスデバイス１０２と第１のワイヤレスネットワークとの間の以前の接続を効果的に解放することができる。モバイルワイヤレスデバイス１０２宛てのページングがページング期間中に受信されなかった場合、ステップ１２０６で、モバイルワイヤレスデバイス１０２は、ページング期間の後で１つ以上の受信器をまた第１のワイヤレスネットワークにチューニングし直す。次いで、この周期は、次のページング期間についても繰り返され、このようにして、モバイルワイヤレスデバイス１０２は、１つ以上の受信器を第１のワイヤレスネットワークとの接続と、ページング期間中の第２のワイヤレスネットワークへの「待ち受け」モードとの間で行ったり来たりさせながら、１つ以上の受信器をチューニングする。第１のワイヤレスネットワークへの接続は、モバイルワイヤレスデバイス１０２宛てのページングが、ページング期間の１つの間に第２のワイヤレスネットワークから受信された場合に限って解放される。
【００４９】
代表的な実施形態では、第１および第２のワイヤレスネットワークは、それぞれ、ＬＴＥワイヤレスネットワーク３００およびＣＤＭＡ２０００  １ｘワイヤレスネットワーク２００であってもよい。ＬＴＥワイヤレスネットワーク３００との接続が一時停止される場合、ＬＴＥワイヤレスネットワーク３００がシングルチップのモバイルワイヤレスデバイス１０２に無線リソースを割り当てることはなく、また、シングルチップのモバイルワイヤレスデバイス１０２は、ＬＴＥワイヤレスネットワーク３００とのアクティブな接続からのデータパケットを紛失することなくＣＤＭＡ２０００  １ｘワイヤレスネットワーク２００からのページングメッセージを待ち受けることができる。ＣＤＭＡ２０００  １ｘワイヤレスネットワーク２００のページングタイムスロットの間、シングルチップのモバイルワイヤレスデバイス１０２は、ＬＴＥワイヤレスネットワーク３００上でメッセージを送信することができない。モバイルワイヤレスデバイス１０２宛てのページングがＣＤＭＡ２０００  １ｘワイヤレスネットワーク２００から受信されなかった場合、シングルチップのモバイルワイヤレスデバイス１０２は、シグナリングメッセージをＬＴＥワイヤレスネットワーク３００へ送信することによって、ＬＴＥワイヤレスネットワーク３００とのデータ接続を再開してもよい。ＬＴＥワイヤレスネットワーク３００は、シグナリングメッセージを受信した後、シングルチップのモバイルワイヤレスデバイス１０２への無線リソースの割当てを再開することができる。
【００５０】
図１３は、モバイルワイヤレスデバイス１０２が第１のワイヤレスネットワークに関連付けられ、かつ、同時に第２のワイヤレスネットワークにも登録されている場合に、モバイルワイヤレスデバイス１０２と第１のワイヤレスネットワークとの間の無線リソースを管理するための別の代表的な方法を示す図である。ステップ１３０２では、第１のワイヤレスネットワークが、モバイルワイヤレスデバイス１０２はシングルチップデュアルスタンバイ（ＳＣＤＳ）のモバイルワイヤレスデバイスであることを検出する。モバイルワイヤレスデバイス１０２がＳＣＤＳデバイスであることを検出することによって、同じ第１のワイヤレスネットワーク内で動作している、ＳＣＤＳデバイスではないその他のモバイルワイヤレスデバイスは、無線リソースを割り当てられ続けてもよく、すなわち、以下に詳述する各ステップにおける無線リソース割当ての一時停止は、ＳＣＤＳデバイスだけに適用されてもよい。代表的な実施形態では、ＳＣＤＳモバイルワイヤレスデバイスが、自分はＳＣＤＳモバイルワイヤレスデバイスであることを、デバイス能力の指標を通してかまたは機能ビットを通して第１のワイヤレスネットワークに示してもよいし、あるいは、第１のワイヤレスネットワークが、モバイルワイヤレスデバイス１０２はＳＣＤＳワイヤレスデバイスであることを、例えば国際移動装置ＩＤ（ＩＭＥＩ）または国際移動電話加入者ＩＤ（ＩＭＳＩ）のような、モバイルワイヤレスデバイス１０２の一意の識別子によってモバイルワイヤレスデバイス１０２の能力を認識することによって検出してもよい。ステップ１３０４で、第１のワイヤレスネットワークが、第２のワイヤレスネットワークについての少なくとも１つのページング周期を計算する。第１および第２のワイヤレスネットワークは、第２のワイヤレスネットワークにおけるモバイルワイヤレスデバイス１０２についてのページング期間が、第１のワイヤレスネットワークによって判定されうるように、直接または間接的に相互接続されてもよい。第１のワイヤレスネットワークは、ステップ１３０６で、モバイルワイヤレスデバイス１０２との無線リソース制御（ＲＲＣ）接続を維持する。ステップ１３０８で、第１のワイヤレスネットワークが、第２のワイヤレスネットワークの少なくとも１つのページング周期の間、送信方向と受信方向との両方について（上り送信と下り送信）無線リソースの割当てを一時停止する。モバイルワイヤレスデバイス１０２への無線リソース割当てが第１のワイヤレスネットワークによって一時停止される一方で、モバイルワイヤレスデバイス１０２と第１のワイヤレスネットワークとの間のＲＲＣシグナリング接続は維持される。ステップ１３１０で、第１のワイヤレスネットワークは、シグナリングメッセージがモバイルワイヤレスデバイス１０２から受信されたかどうかを判定する。モバイルワイヤレスデバイス１０２からシグナリングメッセージを受信すると、第１のワイヤレスネットワークは、ステップ１３１２で、モバイルワイヤレスデバイス１０２への送信方向および受信方向について無線リソースの割当てを再開する。シグナリングメッセージがモバイルワイヤレスデバイス１０２から受信されるまで、モバイルワイヤレスデバイス１０２へのリソース割当ては行われない。シグナリングメッセージが第１のワイヤレスネットワークによって受信されなかった場合、最終的にＲＲＣ接続についてのタイマが切れ、第１のワイヤレスネットワークは、モバイルワイヤレスデバイス１０２とのＲＲＣ接続を中断する。ＲＲＣ接続が中断された場合、モバイルワイヤレスデバイス１０２が自分の受信器を第２のワイヤレスネットワークからまた第１のワイヤレスネットワークにチューニングし直した後、第１のワイヤレスネットワークへのＲＲＣ接続が再度確立される必要がある。
【００５１】
代表的な実施形態では、第１のワイヤレスネットワークおよび第２のワイヤレスネットワークは、それぞれ、ＬＴＥワイヤレスネットワーク３００およびＣＤＭＡ２０００  １ｘワイヤレスネットワークであってもよい。シングルチップのモバイルワイヤレスデバイス１０２は、ＬＴＥワイヤレスネットワーク３００に接続され（るかまたは滞在し）てもよく、それが、ＣＤＭＡ２０００  １ｘワイヤレスネットワーク２００と共通の時刻基準に同期されてもよい。また、シングルチップのモバイルワイヤレスデバイス１０２は、同時にＣＤＭＡ２０００  １ｘワイヤレスネットワーク２００にも登録されてよい。代表的な共通時刻基準は、全地球測位システム（ＧＰＳ）時刻基準に基づいてもよい。ＬＴＥワイヤレスネットワーク３００とＣＤＭＡ２０００  １ｘワイヤレスネットワーク２００との中のシステムクロックはいずれも、同じＧＰＳ時刻基準を用いてもよく、ＬＴＥワイヤレスネットワーク３００とＣＤＭＡ２０００  １ｘワイヤレスネットワーク２００とはいずれも、シングルチップのモバイルワイヤレスデバイス１０２についてのページングタイムスロットおよびページング時間間隔を計算するために、そのシステム時刻と、シングルチップのモバイルワイヤレスデバイス１０２の国際移動装置ＩＤ（ＩＭＥＩ）または国際移動電話加入者ＩＤ（ＩＭＳＩ）とを用いてもよい。ページングタイムスロットとページング時間間隔の計算とを用いて、ＬＴＥワイヤレスネットワーク３００は、シングルチップのモバイルワイヤレスデバイス１０２がＣＤＭＡ２０００  １ｘワイヤレスネットワーク２００からページングメッセージを待ち受けるために、いつ、チューニング先を変更しうるかを知ることができる。ＬＴＥワイヤレスネットワーク３００は、シングルチップのモバイルワイヤレスデバイス１０２についてのＣＤＭＡ２０００  １ｘワイヤレスネットワーク２００のページングタイムスロットの間、無線リソースをシングルチップのモバイルワイヤレスデバイス１０２に割り当てないことによって、シングルチップのモバイルワイヤレスデバイス１０２へのアクティブなデータ接続を一時停止してもよい。ＬＴＥワイヤレスネットワーク３００とＣＤＭＡ２０００  １ｘワイヤレスネットワーク２００とのタイミングが共通の時刻基準に同期されているため、ＬＴＥワイヤレスネットワーク３００はシングルチップのモバイルワイヤレスデバイス１０２のためのＣＤＭＡ２０００  １ｘワイヤレスネットワーク２００のページングタイムスロットのタイミングを判定できるため、シングルチップのモバイルワイヤレスデバイス１０２からの一時停止トリガは必要ない。
【００５２】
図１４は、モバイルワイヤレスデバイス１０２宛てのページング１４０２が、ページング時間の期間中にＣＤＭＡ２０００  １ｘワイヤレスネットワーク２００に対する待ち受けを行っている間にモバイルワイヤレスデバイス１０２によって受信された場合の、モバイルワイヤレスデバイス１０２とＣＤＭＡ２０００  １ｘワイヤレスネットワーク２００およびＬＴＥワイヤレスネットワーク３００との間のシグナリングメッセージ交換１４００を示す図である。モバイルワイヤレスデバイス１０２宛てのページング１４０２の受信に続いて、モバイルワイヤレスデバイス１０２は、３つの異なる期間のうちの１つの間にＥＳＲメッセージをＬＴＥワイヤレスネットワーク３００に送信してもよい。第１の期間は、ＣＤＭＡ２０００  １ｘワイヤレスネットワーク２００からページング１４０２を受信した後で、ＣＤＭＡ２０００  １ｘワイヤレスネットワーク２００へページング応答１４０６を返信する前に生じる。第２の期間は、ＣＤＭＡ２０００  １ｘワイヤレスネットワーク２００へページング応答１４０６を送信した後で、ＣＤＭＡ２０００  １ｘワイヤレスネットワーク２００から任意の確認応答（Ａｃｋ１４０８）または拡張チャネル割当て１４１２メッセージを受信する前に生じる。第３の期間は、ＣＤＭＡ２０００  １ｘワイヤレスネットワーク２００から任意の確認応答（Ａｃｋ１４０８）または拡張チャネル割当て１４１２メッセージを受信した後で、ＣＤＭＡ２０００  １ｘワイヤレスネットワーク２００とのトラヒック１４１６を使ったアクティブな接続の前に生じる。ＥＳＲメッセージは、３つの期間のうちの１つの間にＬＴＥワイヤレスネットワーク３００へ送信されてもよい。ＬＴＥワイヤレスネットワーク３００へのＥＳＲメッセージの送信は、シングルチップのモバイルワイヤレスデバイス１０２が、送信されたＥＳＲメッセージに対するＬＴＥワイヤレスネットワーク３００からの確認応答を待たないことを選択できるという点で、「ベストエフォート」送信として実現されてもよい。（ＬＴＥワイヤレスネットワーク３００からモバイルワイヤレスデバイス１０２への確認応答は、図１４には示していない。）「ベストエフォート」送信の場合、シングルチップのモバイルワイヤレスデバイス１０２は、送信されたＥＳＲメッセージは、ＬＴＥワイヤレスネットワーク３００によって適切に受信されたと仮定してもよい。ＬＴＥワイヤレスネットワーク３００からの確認応答を待たないことにより、シングルチップのモバイルワイヤレスデバイス１０２は、ＣＤＭＡ２０００  １ｘワイヤレスネットワーク２００へのモバイル着の呼の確立を最小限の遅延で進行させることができる。
【００５３】
図１４に示す一実施形態では、ＣＤＭＡ２０００  １ｘワイヤレスネットワーク２００からモバイルワイヤレスデバイス１０２宛てのページング１４０２を受信した後で、モバイルワイヤレスデバイス１０２は、１つ以上の受信器をまたＬＴＥワイヤレスネットワーク３００にチューニングし直して、ＥＳＲメッセージ１４０４をＬＴＥワイヤレスネットワーク３００に送信し、その後、ページング応答１４０６をＣＤＭＡ２０００  １ｘワイヤレスネットワーク２００に送信してもよい。ＥＳＲメッセージをＬＴＥワイヤレスネットワーク３００に送信した後、モバイルワイヤレスデバイス１０２は、ＬＴＥワイヤレスネットワーク３００からのＥＳＲメッセージの確認応答を待たずに、１つ以上の受信器をまたＣＤＭＡ２０００  １ｘワイヤレスネットワーク２００にチューニングし直してもよい。モバイルワイヤレスデバイス１０２は、ＥＳＲ１４０４をＬＴＥワイヤレスネットワーク３００に送信した後、ページング応答１４０６をＣＤＭＡ２０００  １ｘワイヤレスネットワーク２００に送信して、モバイルワイヤレスデバイス１０２とＣＤＭＡ２０００  １ｘワイヤレスネットワーク２００との接続の確立を完了させてもよい。
【００５４】
図１４に示すもう１つの実施形態では、モバイルワイヤレスデバイス１０２は、ＣＤＭＡ２０００  １ｘワイヤレスネットワーク２００からのモバイルワイヤレスデバイス１０２宛てのページング１４０２に対してページング応答１４０６を使って応答し、次いで、モバイルワイヤレスデバイス１０２の１つ以上の受信器をＣＤＭＡ２０００  １ｘワイヤレスネットワーク２００からまたＬＴＥワイヤレスネットワーク３００にチューニングし直して、ＥＳＲメッセージ１４１０をＬＴＥワイヤレスネットワーク３００に送信する。モバイルワイヤレスデバイス１０２は、同時に、ＣＤＭＡ２０００  １ｘワイヤレスネットワーク２００とのトラヒック１４１６を交換する前に、任意の確認応答１４０８メッセージのため、および、ＣＤＭＡ２０００  １ｘワイヤレスネットワーク２００からの拡張チャネル割当てメッセージ１４１２のために、１つの受信器をＣＤＭＡ２０００  １ｘワイヤレスネットワーク２００を待ち受けたままにしてもよい。ＥＳＲ１４１０メッセージをＬＴＥワイヤレスネットワーク３００に送信する前にページング応答１４０６をＣＤＭＡ２０００  １ｘワイヤレスネットワーク２００に送信することによって、モバイルワイヤレスデバイス１０２とＣＤＭＡ２０００  １ｘワイヤレスネットワーク２００との間の接続の確立が、遅延なく進行しうる。
【００５５】
図１４に示す別の実施形態では、モバイルワイヤレスデバイス１０２は、拡張チャネル割当てメッセージ１４１２をＣＤＭＡ２０００  １ｘワイヤレスネットワーク２００から受信し終わるまで、ただし、ＣＤＭＡ２０００  １ｘワイヤレスネットワーク２００とのトラヒック１４１６が開始される前まで、ＥＳＲメッセージ１４１４をＬＴＥワイヤレスネットワーク３００に送信するのを待ってもよい。ＥＳＲメッセージがいつ送信されるのかが異なる上記の実施形態の各々を選択する際、モバイルワイヤレスデバイス１０２は、ＬＴＥワイヤレスネットワーク３００のための無線リソースをより早く解放できるＬＴＥワイヤレスネットワーク３００への早期の応答と、ＣＤＭＡ２０００  １ｘワイヤレスネットワーク２００との接続を迅速に確立するためのＣＤＭＡ２０００  １ｘワイヤレスネットワーク２００への素早い応答との間でトレードオフを行ってもよい。
【００５６】
一部の実施形態では、ＬＴＥワイヤレスネットワーク３００は、シングルチップのモバイルワイヤレスデバイス１０２の１つ以上の機能に関する知識に基づいて、シングルチップのモバイルワイヤレスデバイス１０２に対する無線リソースの割当てを一時停止してもよい。シングルチップのモバイルワイヤレスデバイス１０２は、例えば起動の間に、および／または、ＬＴＥワイヤレスネットワーク３００へのモバイルワイヤレスデバイス１０２の登録の間に、デバイス能力指標および／または１つ以上の機能ビットを所定のメッセージの中でＬＴＥワイヤレスネットワーク３００に送信することによって、１つ以上の自分の機能を示してもよい。また、ＬＴＥワイヤレスネットワーク３００は、シングルチップのモバイルワイヤレスデバイス１０２の機能を、これも起動および／または登録時に通信されうる、デバイスの一意の国際移動装置ＩＤ（ＩＭＥＩ）の知識に基づいて、判定してもよい。ＬＴＥワイヤレスネットワーク３００は、選択されたシングルチップのモバイルワイヤレスデバイス１０２のためのＬＴＥワイヤレスネットワーク３００の接続の一時停止を対象とする一方で、例えばデュアルチップのモバイルワイヤレスデバイスのような、シングルチップのモバイルワイヤレスデバイス１０２ではないその他のモバイルワイヤレスデバイス１０２の連続的な接続を可能にしてもよい。
【００５７】
一実施形態では、シングルチップのモバイルワイヤレスデバイス１０２は、ＬＴＥワイヤレスネットワーク３００との通信用に１つの送信パスと１つの受信パスとを用いてもよく、同時に、別個の受信パスを通してＣＤＭＡ２０００  １ｘワイヤレスネットワーク２００上でページングメッセージを待ち受けてもよい。シングルチップのモバイルワイヤレスデバイス１０２のこのような操作モードを、「非ＲＸダイバーシチ」モードと呼んでもよい。シングルの受信パスモードは、デュアルの受信パスモードより受信信号品質が劣る可能性があるが、しかし、信号品質は、場合によっては、ＬＴＥワイヤレスネットワーク３００との接続を維持するのに十分である可能性がある。一部の実施形態では、シングルチップのモバイルワイヤレスデバイス１０２が、ＣＱＩ／ＰＭＩ／ＲＩの値の所定の組み合わせをＬＴＥワイヤレスネットワーク３００に送信することによって、「非ＲＸダイバーシチ」モードの使用をＬＴＥワイヤレスネットワーク３００に示してもよい。他の実施形態では、単一の受信器だけを用いる場合にＬＴＥワイヤレスネットワーク３００に送信される、いずれかのＣＱＩの中で示されるチャネル信号品質は、二重の受信器を用いる場合より劣る可能性があるけれども、シングルチップのモバイルワイヤレスデバイス１０２は、「非ＲＸダイバーシチ」モードの使用を明示的にＬＴＥワイヤレスネットワーク３００に示すことができない。
【００５８】
ＬＴＥワイヤレスネットワーク３００は、ＬＴＥワイヤレスネットワーク３００が「同期外れ」条件を検出した場合、単一の受信パスのモバイルワイヤレスデバイスへのアクティブなデータ接続のための無線リソースの割当てを一時停止してもよい。所定の期間についてシングルチップのモバイルワイヤレスデバイス１０２からデータを受信して正確に復号することがまったくできない場合に、「同期外れ」条件が宣言されることがある。「同期外れ」条件は、比較的短い（例えば、ＲＲＣ接続の喪失に関する期間より短い）期間の上りのデータ停止によってトリガされることがある。ＬＴＥワイヤレスネットワーク３００は、上り方向における正確に復号されたシグナリングメッセージ（またはデータメッセージ）の受信と同時に、シングルチップのモバイルワイヤレスデバイス１０２に対する無線リソースの割当てを再開してもよい。ＬＴＥワイヤレスネットワーク３００とシングルチップのモバイルワイヤレスデバイス１０２との間の接続が、長い間「同期外れ」のままである場合には、ＬＴＥワイヤレスネットワーク３００は、所定のタイムアウト期間に基づいてＲＲＣ接続を解放してもよい。ＬＴＥワイヤレスネットワーク３００が、「同期外れ」条件を検出した時点ですぐに無線リソース割当てを一時停止した場合、ＬＴＥワイヤレスネットワーク３００とシングルチップのモバイルワイヤレスデバイス１０２との間のアクティブな接続の短い周期的な中断の間に、最小限のデータ損失が生じることがある。シングルチップのモバイルワイヤレスデバイス１０２は、ＣＤＭＡ２０００  １ｘワイヤレスネットワーク２００からのページングメッセージを待ち受けて、シングルチップのモバイルワイヤレスデバイス１０２宛てのページングが受信されない場合には速やかにＬＴＥワイヤレスネットワーク３００に戻ってもよい。ＣＤＭＡ２０００  １ｘワイヤレスネットワーク２００において周期的なページング期間の間にページングを待ち受ける場合に、ＬＴＥワイヤレスネットワーク３００へのＲＲＣ接続は動作中のままであってもよく、再度確立される必要はない。シングルチップのモバイルワイヤレスデバイス１０２宛てのページングが、ＣＤＭＡ２０００  １ｘワイヤレスネットワーク２００から受信された場合には、シングルチップのモバイルワイヤレスデバイス１０２は、ＣＤＭＡ２０００  １ｘワイヤレスネットワーク２００とのモバイル着の接続を形成してもよい。ＣＤＭＡ２０００  １ｘワイヤレスネットワーク２００とシングルチップのモバイルワイヤレスデバイス１０２との間のこのような接続の結果として、同期外れ条件が続くことがあり、ＬＴＥワイヤレスネットワーク３００によってＲＲＣ接続が解放されることにつながる。
【００５９】
一部の実施形態では、シングルチップのモバイルワイヤレスデバイス１０２は、ＬＴＥワイヤレスネットワーク３００へのＲＲＣ接続を解放するためにＥＳＲメッセージをＬＴＥワイヤレスネットワーク３００に送信しないことを選択してもよい。その代わり、ＲＲＣ接続は、シングルチップのモバイルワイヤレスデバイス１０２がＣＤＭＡ２０００  １ｘワイヤレスネットワーク２００に接続された場合の不活動性に起因して、タイムアウト期間の後でＬＴＥワイヤレスネットワーク３００によって解放されてもよい。
【００６０】
説明される実施形態の各種の態様は、ソフトウェアによって、ハードウェアによって、あるいはハードウェアとソフトウェアとの組み合わせによって実装されてもよい。また、説明される実施形態は、非一時的なコンピュータ可読媒体上のコンピュータプログラムコードとしてエンコードされてもよい。非一時的なコンピュータ可読媒体とは、その後コンピュータシステムによって読み取られうるデータを記憶することができる、いずれかのデータ記憶デバイスである。非一時的なコンピュータ可読媒体の例には、リードオンリーメモリと、ランダムアクセスメモリと、ＣＤ−ＲＯＭと、ＤＶＤと、磁気テープと、光データストレージデバイスとが含まれる。また、コンピュータプログラムコードは、コンピュータプログラムコードが分散形式で記憶され、実行されるように、ネットワーク接続されたコンピュータシステム上で分散されてもよい。
【００６１】
説明される実施形態の各種の態様、実施形態、実装または特徴は、別個にかまたはいずれかの組み合わせによって使用されうる。上記の記述では、説明される実施形態の十分な理解を提供するため、説明の目的で、特定の用語を用いている。しかし、当業者には明らかであろうが、説明される実施形態を実施するために、特定の詳細が必要なのではない。従って、本明細書で説明される特定の実施形態の上記の説明は、例示および説明の目的で提示されたものである。それらは、網羅的であることや、実施形態を開示されたその形態に限定することを目標としていない。当業者には明らかであろうが、上記の教示内容に照らして多くの修正形態および変形形態が可能である。
【００６２】
説明される実施形態の利点は非常に多い。多様な態様、実施形態または実装が、以下のような１つ以上の利点をもたらす可能性がある。本発明の実施形態の多くの特徴および利点は、上記の説明から明らかであり、従って、添付の請求項によって本発明のそのような特徴および利点をすべてカバーすることが、意図されている。さらに、当業者であれば多くの修正形態および変更形態を容易に思いつくであろうから、実施形態は、例示され説明されるのとまったく同じ構成および動作に限定されるべきではない。従って、すべての適切な修正形態および均等物は、本発明の範囲内に入るとして扱うことができる。
【図１】
0005638163.tif 000002
【図２】
0005638163.tif 000003
【図３】
0005638163.tif 000004
【図４】
0005638163.tif 000005
【図５】
0005638163.tif 000006
【図６】
0005638163.tif 000007
【図７】
0005638163.tif 000008
【図８】
0005638163.tif 000009
【図９】
0005638163.tif 000010
【図１０】
0005638163.tif 000011
【図１１】
0005638163.tif 000012
【図１２】
0005638163.tif 000013
【図１３】
0005638163.tif 000014
【図１４】
0005638163.tif 000015